(57)【要約】【課題】装置とユーザの間で娯楽的な対話を通じて新たな機能ないしサービスを効果的にユーザにもたらす遊戯撮影装置および方法を提供する。【解決手段】遊戯用撮影装置１００において、評価処理部１４４は、編集処理において提供される複数種類の編集機能のうちいずれかに対するユーザの操作内容が、あらかじめ定められる複数の達成条件を満たすか否かを評価し、その評価の結果に応じて、所定の画像および音声の付与を含む所定の特典を出力する機能をユーザに提供し得る。【選択図】図７
2018026082.tif 000002
【特許請求の範囲】
【請求項１】
ユーザに画像生成遊戯を提供する画像生成装置と、前記画像生成装置とネットワークを介して通信可能に接続されて前記画像生成遊戯に付随する情報提示サービスをユーザに提供するサービス提供装置と、を備えたサービス提供システムであって、
前記画像生成装置は、
前記画像生成遊戯の実行中において達成された条件に応じて音声を少なくとも含む特典を付与するために特典情報を得る手段と、
撮影画像に基づく加工画像を生成する手段と、
識別情報によって特定し得る前記特典情報および前記加工画像を前記サービス提供装置に送信する手段と、
を有し、
前記サービス提供装置は、
前記画像生成装置から送信された前記特典情報および前記加工画像を識別情報に対応付けて記憶する手段と、
ユーザの情報端末における所定の情報提示機能から送信された識別情報を受信した場合に、前記受信した識別情報に対応する前記特典情報、および、前記特典情報に対応する所定の情報提示サービスのうち少なくともいずれかを前記情報端末における前記情報提示機能に提供する手段と、
を有することを特徴とするサービス提供システム。
【請求項２】
前記画像生成装置は、前記画像生成遊戯の進行を画面上で案内するキャラクタとして、複数種類のキャラクタからいずれかをユーザの操作に基づいて設定する手段をさらに備え、
前記特典情報を得る手段は、前記設定する手段によって設定されたキャラクタの種類に応じて前記特典情報を得ることを特徴とする請求項１に記載のサービス提供システム。
【請求項３】
前記画像生成装置は、ユーザへのメッセージの送信先となる宛先情報を取得する手段をさらに備え、
前記送信する手段は、前記宛先情報を前記サービス提供装置に送信し、
前記提供する手段は、前記情報提示サービスとして、前記設定する手段によって設定されたキャラクタに対応する前記メッセージを少なくとも含む情報を前記宛先情報に基づいて送信することを特徴とする請求項２に記載のサービス提供システム。
【請求項４】
前記特典情報を得る手段は、一つの画像生成装置において複数人のユーザで前記画像生成遊戯を実行中の場合、ユーザごとに条件が達成されたか否かを判定してユーザごとに個別の特典情報を得ることを特徴とする請求項１から３のいずれかに記載のサービス提供システム。
【請求項５】
前記提供する手段は、ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供するとともに、前記識別情報に対応する前記加工画像を前記情報端末における前記情報提示機能に提供することを特徴とする請求項１から４のいずれかに記載のサービス提供システム。
【請求項６】
ユーザに画像生成遊戯を提供する画像生成装置、および、前記画像生成装置とネットワークを介して通信可能に接続されて前記画像生成遊戯に付随する情報提示サービスをユーザに提供するサービス提供装置、において実行されるサービス提供方法であって、
前記画像生成装置において、撮影画像に基づく加工画像を生成する工程と、
前記画像生成遊戯の実行中において達成された条件に応じて音声を少なくとも含む特典を付与するために特典情報を得る工程と、
識別情報によって特定し得る前記特典情報および前記加工画像を前記サービス提供装置へネットワーク経由で送信する工程と、
前記サービス提供装置において、前記画像生成装置から送信された前記特典情報および前記加工画像をネットワーク経由で受信する工程と、
前記特典情報および前記加工画像を識別情報に対応付けて記憶する工程と、
ユーザの情報端末における所定の情報提示機能から送信された識別情報をネットワーク経由で受信する工程と、
前記受信した識別情報に対応する前記特典情報を読み出す工程と、
前記受信した識別情報に対応する前記特典情報、および、前記特典情報に対応する所定の情報提示サービスのうち少なくともいずれかを前記情報端末における前記情報提示機能へネットワーク経由で送信する工程と、
を備えることを特徴とするサービス提供方法。
【請求項７】
画像生成遊戯に付随する情報提示サービスをユーザに提供するサービス提供装置とネットワークを介して通信可能に接続され、ユーザに前記画像生成遊戯を提供する画像生成装置であって、
前記画像生成遊戯の実行中において達成された条件に応じて音声を少なくとも含む特典を付与するために特典情報を得る手段と、
撮影画像に基づく加工画像を生成する手段と、
ユーザの情報端末から識別情報を受信した場合にその識別情報に対応する前記特典情報、および、前記特典情報に対応する所定の情報提示サービスのうち少なくともいずれかを前記情報端末に提供する前記サービス提供装置に対し、識別情報によって特定し得る前記特典情報および前記加工画像を送信する手段と、
を備えることを特徴とする画像生成装置。
【請求項８】
ユーザに画像生成遊戯を提供する画像生成装置とネットワークを介して通信可能に接続されて前記画像生成遊戯に付随する情報提示サービスをユーザに提供するサービス提供装置であって、
撮影画像に基づく加工画像を生成し、前記画像生成遊戯の実行中において達成された条件に応じて音声を少なくとも含む特典を付与するために特典情報を得て、識別情報によって特定し得る前記特典情報および前記加工画像を当該サービス提供装置に送信する、前記画像生成装置から前記特典情報および前記加工画像を受信する手段と、
前記受信した前記特典情報および前記加工画像を識別情報に対応付けて記憶する手段と、
ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供する手段と、
を備えることを特徴とするサービス提供装置。
【発明の詳細な説明】
【技術分野】
【０００１】
本発明は、遊戯用撮影装置および遊戯用撮影方法に関し、特に装置とユーザの間の対話を通じたサービスを提供する装置および方法に関する。
【背景技術】
【０００２】
従来、複数のユーザを含む被写体をカメラで複数回撮影し、その撮影画像をシール紙に印刷したり、ネットワークを介して外部の装置に送信したりすることができる遊戯用撮影装置および遊戯用写真撮影サービスが知られている。このような遊戯用撮影装置では、ユーザの嗜好に応じて、例えば、次のような編集処理を行えるものが多く提案されている。まず、撮影された被写体の画像に対してクロマキー処理をし、被写体部分を抽出した被写体画像を生成する。そして、この被写体画像にユーザが選択した背景画像を合成した上で、目の色や大きさ、肌の色、顔の輪郭などに補正を加えたり、文字や模様を重ねたりするなどの編集処理（一般に「落書き」とも呼ばれる）を経て、最終的な印刷用の画像を生成する。またそうした編集機能を、一緒に撮影した複数のユーザが一度にタッチペンなどで操作できるように提供することで、撮影から編集まで友人同士が一緒に楽しむことができ、人気を博している。
【先行技術文献】
【特許文献】
【０００３】
【特許文献１】特開２０１５−２０７１１４号公報
【発明の概要】
【発明が解決しようとする課題】
【０００４】
通常、人気のある機種ほど撮影待ちの人々で混雑するため、１回のプレイ時間ができる限り短くなるようにプレイの効率を高める必要がある一方、限られたプレイ時間の中では新しい機能を提供することが時間の制約で難しい場合がある。仮に新しい機能を提供したとしても、ユーザはじっくりとその機能を試す余裕がなかったり、時間のロスを嫌って新しい機能ないしサービスを試すことを躊躇ったりすることがあった。
【０００５】
本発明はこうした課題に鑑みてなされたものであり、その目的は、装置とユーザの間で娯楽的な対話を通じて新たな機能ないしサービスを効果的にユーザにもたらす遊戯撮影装置および方法を提供することにある。
【課題を解決するための手段】
【０００６】
上記課題を解決するために、本発明のある態様の遊戯用撮影装置は、ユーザを被写体に含む像を撮像する撮像部と、撮像部により撮像されるユーザの撮影画像を取得する画像取得部と、撮影画像に対する編集処理を実行する編集処理部と、編集処理において提供される複数種類の編集機能のうちいずれかに対するユーザの操作内容が、あらかじめ定められる複数の達成条件を満たすか否かを評価する評価処理部と、撮影画像を画面に表示させる表示制御部と、を備え、評価処理部は、評価の結果に応じて、所定の画像および音声のうち少なくともいずれかの付与を含む所定の特典を出力する機能をユーザに提供し得る。
【０００７】
評価の結果としてユーザに付与される特典は、編集処理の終了後に付与されてもよいし、編集処理の終了前に付与されてもよい。編集処理の終了後に付与される場合、当該遊戯用撮影装置において付与されてもよいし、所定のサーバから付与される仕様であってもよい。付与される特典は、所定の画像および音声に限らず、複数種類の特典サービスのうちいずれかを受けられる権限が付与される形であってもよい。複数種類の特典サービスとしては、遊戯用撮影装置による遊戯の進行において娯楽的な対話ができるサービスであってもよいし、特別な編集機能や特別な印刷機能を使用できるサービスであってもよい。複数の達成条件を満たすか否かの評価は、一つの達成条件を満たすごとに得点を付与してその累積得点によって評価してもよい。
【０００８】
この態様によると、達成条件を満たすと特典が得られるという新しいサービスの恩恵を、編集処理における編集機能を使用しながら受けることができるので、時間のロスを避けながら新しいサービスのメリットを享受できる。
【０００９】
評価処理部は、ユーザに対して複数種類の編集機能のうちいずれかの機能を利用する旨の操作指令を出し、その操作指令の通りにユーザが操作した場合に複数の達成条件の一つを満たしたと評価してもよい。この態様によると、編集機能に新しい機能が含まれる場合にその利用を達成条件に設定することで、新しい機能の利用を促進することができる。
【００１０】
評価処理部は、複数種類のキャラクタのうちユーザが選択したキャラクタの画像表示と音声出力の形で操作指令に対するユーザの操作内容の評価を進行させる遊戯過程を画面に表示し、遊戯過程においては、選択したキャラクタが操作指令を出す画像および音声を出力し、ユーザの操作に選択したキャラクタが対応する画像および音声を出力し、評価の結果に応じて選択したキャラクタに関連する特典の画像および音声を付与するように表示してもよい。この態様によると、ユーザは自分が選択したキャラクタとの娯楽的な対話を通じて達成条件を満たすように編集処理を進めるという新しい楽しみ方を享受することができる。
【００１１】
本発明の別の態様は、遊戯用撮影方法である。この方法は、ユーザを被写体とする撮影画像を所定の画像取得手段を介して取得する工程と、撮影画像を編集する機能を画面に表示する工程と、編集する機能に対するユーザの操作を所定の操作手段を介して受け付ける工程と、受け付けたユーザの操作内容が、あらかじめ定められる複数の達成条件を満たすか否かを判定することによりユーザの操作内容を評価する工程と、評価の結果が所定の結果であった場合に、所定の画像および音声のうち少なくともいずれかの付与を示す情報を撮影画像とともにネットワーク経由で所定のサーバに送信する工程と、を備える。
【００１２】
この態様によると、達成条件を満たすと特典が得られるという新しいサービスの恩恵を、編集処理における編集機能を使用しながら受けることができるので、時間のロスを避けながら新しいサービスのメリットを享受できる。
【００１３】
表示する工程は、ユーザに対して複数種類の編集機能のうちいずれかの機能を利用する旨の操作指令を表示する工程を含んでもよい。評価する工程は、ユーザの操作が操作指令の通りであった場合に複数の達成条件の一つを満たしたと判定する工程を含んでもよい。
【００１４】
表示する工程は、複数種類のキャラクタのうちユーザが選択したキャラクタの画像表示と音声出力の形で操作指令を表示する工程を含んでもよい。受け付ける工程は、ユーザの操作に選択したキャラクタが対応する画像および音声を出力する工程を含んでもよい。送信する工程は、評価の結果が所定の結果であった場合に、選択したキャラクタに関連する特典の画像および音声のうち少なくともいずれかの付与を示す情報をネットワーク経由で所定のサーバに送信する工程を含んでもよい。
【００１５】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１６】
本発明によれば、装置とユーザの間で娯楽的な対話を通じて新たな機能ないしサービスをユーザに効果的にもたらす遊戯撮影装置および方法を提供することができる。
【図面の簡単な説明】
【００１７】
【図１】写真撮影システムの全体構成を模式的に示す図である。
【図２】遊戯用撮影装置を左前側から見た斜視図である。
【図３】図２に示す遊戯用撮影装置を上から見た平面図である。
【図４】撮影筐体の斜視図である。
【図５】編集出力筐体の斜視図である。
【図６】遊戯用撮影装置のハードウェア構成を模式的に示すブロック図である。
【図７】遊戯用撮影装置の機能構成を模式的に示す機能ブロック図である。
【図８】管理サーバの機能構成を模式的に示す機能ブロック図である。
【図９】プレイの受付段階における処理の流れを示すフローチャートである。
【図１０】撮影段階における処理の流れを示すフローチャートである。
【図１１】落書き段階における処理の流れを示すフローチャートである。
【図１２】事前設定部のタッチパネルに表示される受付時の画面例を模式的に示す図である。
【図１３】事前設定部のタッチパネルに表示される、ユーザの名前入力時の画面例を模式的に示す図である。
【図１４】事前設定部のタッチパネルに表示される、背景画像選択画面の画面例を模式的に示す図である。
【図１５】事前設定終了後から撮影開始までの間に事前設定部のタッチパネルに表示する自己紹介画面の画面例を模式的に示す図である。
【図１６】撮影時に正面モニタに表示される画面例を模式的に示す図である。
【図１７】背景画像のテーマとお手本画像の対応関係を示すテーブルの図である。
【図１８】名前入替画面を模式的に示す図である。
【図１９】編集用モニタに表示される編集画面の画面例を示す図である。
【図２０】ミッションとナレーション音声、キャラクタの表情、メッセージ、矢印との関係を模式的に示す表の図である。
【図２１】特典画像を付与するときの編集画面の画面例を示す図である。
【図２２】特典画像の種類を模式的に示す図である。
【図２３】シール紙に印刷される印刷用画像を選択するための選択画面の例を示す図である。
【図２４】印刷用画像の例を模式的に示す図である。
【図２５】送信用の画像を選択する画面の画面例を模式的に示す図である。
【図２６】編集用モニタに表示される、ユーザのメールアドレス入力時の画面例を模式的に示す図である。
【図２７】印刷済シール紙および通知メールの内容を模式的に示す図である。
【図２８】遊戯用撮影装置、管理サーバ、端末装置の間における処理過程を示すフローチャートである。
【図２９】画像取得サイトの画面例を模式的に示す図である。
【図３０】画像取得サイトのトップページから特典保管ページに移動する場合の画面例を模式的に示す図である。
【発明を実施するための形態】
【００１８】
本実施形態においては、遊戯用撮影装置による写真撮影の遊戯において、通常のモードである「ノーマルコース」に加えて、特別なモードである「プリンスコース」を用意し、ユーザにいずれかのコースを選択させる。「プリンスコース」は、架空の王子様をモデルとする複数のアニメーションキャラクタをモチーフとしてあらかじめ用意された背景画像、キャラクタ画像、音声、音楽、印刷用シートなどを用い、それらを遊戯の流れに沿って画面に表示させ、出力（例えば、ダウンロードや印刷）させるモードである。通常の「ノーマルコース」では女性の声でのナレーション音声を用いる場面で、「プリンスコース」の場合はプリンス、すなわち王子のキャラクタに扮したナレーション音声を用いる。遊戯用撮影装置のユーザは女性が多く、大半のユーザから見て異性である男性のナレーション音声を用いて遊戯全体を異性のキャラクタがエスコートするような流れとしている。また、ユーザが「プリンスコース」を選択した場合、通常の「ノーマルコース」であればユーザの操作に反応するように効果音を発するところを、効果音の代わりに王子のキャラクタのナレーション音声を発する。複数種類の王子のキャラクタのうちユーザが選択した王子のナレーション音声や画像が遊戯を通して用いられる。ナレーション音声として発言内容の異なる多数の音声を用意し、状況に応じてランダムで出力することにより、全種類の音声を聞いてみたいと考えるユーザの収集意欲をかき立てることができる。遊戯においては、王子のナレーション音声による合いの手の言葉を効果的に出力することで、王子のキャラクタとユーザの掛け合いを演出しながらゲーム（受付、撮影、編集、印刷等）を進めさせる。
【００１９】
＜写真撮影システムの概要＞
図１は、写真撮影システム６００の全体構成を模式的に示す図である。写真撮影システム６００は、インターネットや携帯電話通信網などのネットワーク２００を介して接続する遊戯用撮影装置１００、管理サーバ３００、および複数の端末装置５００を含む。本図では、端末装置５００ａと端末装置５００ｂとの二つの端末装置を図示しているが、端末装置５００の数は２に限られず、３以上であってよい。以下、本明細書において、それぞれの端末装置５００を特に区別する場合を除き、単に「端末装置５００」と総称する。
【００２０】
遊戯用撮影装置１００は、ユーザを含む被写体を写真撮影または動画撮影するカメラや、撮影した写真画像を編集するためのユーザインタフェースを備える電子機器を含む装置である。ユーザが遊戯用撮影装置１００で写真を撮影すると、遊戯用撮影装置１００は、ユーザを被写体とする複数の撮影画像を含む撮影画像群と、画像ＩＤと、遊戯用撮影装置１００で入力されたメールアドレスなどの情報とを紐付けて管理サーバ３００に送信する。画像ＩＤは、ユーザごとの１回のプレイに対して一意に割り当てられる識別情報であり、プレイをした店舗における機種およびプレイや撮影画像群を特定するための一意の識別情報である。撮影画像群とは、所定の１プレイにおいて作成されグループ化された複数の撮影画像や動画像のことを指す。以下、本明細書において、画像ＩＤと、撮影画像群と、メールアドレスなどの情報とが紐付けられたデータを「プレイ情報」と記載する。また、本明細書において「撮影画像」というときは、撮影により得られた画像だけでなく、撮影後に補正や編集を施したり、出力のためにサイズ変更や画質変更を施したりした画像を含む場合があってもよい。同様に「出力用画像」というときは、画面表示用の画像と印刷用の画像と送信用の画像とを含んでもよく、それぞれのハードウェア仕様、ソフトウェア仕様、通信仕様などの各仕様に応じてサイズ変更や画質変更を施したものをすべて含んでもよい。
【００２１】
管理サーバ３００は、遊戯用撮影装置１００から取得したプレイ情報や写真撮影サービスの利用履歴などのユーザ情報を管理するサーバである。管理サーバ３００は、プレイ情報に含まれる撮影画像群にアクセスするためのコンテンツアクセス情報を、当該プレイ情報に含まれるメールアドレス宛に送信する。これにより、各ユーザが所持する端末装置５００は、コンテンツアクセス情報が記載されたメールを取得することができる。コンテンツアクセス情報は、例えば管理サーバ３００にアクセスするためのＵＲＬ（Uniform Resource Locator）であり、このＵＲＬの中には、サーバで動作するプログラムに受け渡す画像ＩＤや符号化されたメールアドレスなどのパラメータ（引数）が含まれている。端末装置５００は、このメールのＵＲＬをもとにアクセスすることにより、ＵＲＬに含まれる画像ＩＤやメールアドレスに紐づけられた撮影画像群を取得することができる。
【００２２】
ユーザは、端末装置５００で動作するブラウザアプリケーションまたは専用の情報提示アプリケーションを用い、コンテンツアクセス情報をもとに管理サーバ３００にネットワーク２００経由でアクセスし、自身の端末装置５００に撮影画像をダウンロードする。ユーザが端末装置５００上で撮影画像を編集できる仕様としてもよい。
【００２３】
＜遊戯用撮影装置の外観＞
図２は、遊戯用撮影装置１００を左前側から見た斜視図である。図３は、図２に示す遊戯用撮影装置１００を上から見た平面図である。以下では、図２に示す前後左右の方向を基準として、他の図面も説明する。図２および図３に示すように、遊戯用撮影装置１００は、前部側の撮影部５０と後部側の編集部５１とを備え、前後方向に長いほぼ直方体状を呈している。撮影部５０の左側面または右側面にはコインの投入と撮影人数を含む撮影内容を事前設定する事前設定部４０が設けられる。
【００２４】
撮影部５０は、ユーザを撮影するカメラが内蔵された撮影筐体１１と、この撮影筐体１１の後方に撮影空間１０を介して配置された背景壁部１２とを有する。撮影筐体１１の側面と、背景壁部１２の側面との間の隙間が、撮影空間１０への出入口である第１出入口１０１ａ，１０１ｂを構成する。事前設定部４０は、撮影人数を含む撮影内容の設定項目を表示してユーザからの指示を受け付けるタッチパネル４１と、コインの投入口と返却口を含むコイン投入部４２を有する。事前設定部４０の筐体は、図では撮影部５０の左側面に着脱自在に取り付けた例を示すが、遊戯用撮影装置１００を設置する店舗のレイアウトに応じて左右側面のいずれかに取り付ければよい。ユーザは事前設定部４０を取り付けた側の入口から撮影空間１０へ入る。編集部５１は、背景壁部１２の後方に隣接して配置された編集出力筐体２１を有する。編集出力筐体２１には、左右の方向を向く一対の操作面が設けられる。ユーザは各操作面への入力作業をする編集空間２０ａ，２０ｂに、第２出入口２０１ａ，２０１ｂを介して入ることができる。なお、変形例として、事前設定部４０を備えない形で遊戯用撮影装置１００を構成してもよいし、編集部５１ないし編集空間２０を備えない形で遊戯用撮影装置１００を構成してもよい。
【００２５】
撮影筐体１１と背景壁部１２との上端部の側面は、前後方向に延びる天井フレーム１３によって互いに連結される。天井フレーム１３の枠内部には、撮影空間１０を上から覆い、照明およびフラッシュ照射する天井照明ユニット１４が設けられる。撮影筐体１１の左側面または右側面には、遊戯用撮影装置１００の使用方法を含む説明書きを掲示するための掲示スペース１５が設けられる。掲示スペース１５の上部には、撮影筐体１１が使用中であるか否かを示す表示部１６が設けられる。
【００２６】
表示部１６は、発光または消灯される表示灯（図示せず）を備える。表示部１６は、表示灯の発光によって撮影部５０が使用中であることをユーザに示し、消灯によって撮影部５０が空きになったことをユーザに示す。遊戯用撮影装置１００は、表示部１６が左右方向外側に突出した平面視三角形状に形成されているが、その形状は特には限定されず、凸湾曲状などのその他の形状であってもよい。
【００２７】
背景壁部１２は、撮影筐体１１とほぼ同じ幅および高さの板状部材によって形成され、撮影筐体１１の正面と対面する本体プレート１２１と、この本体プレート１２１の左右両端から前方に延設された一対のサイドプレート１２２とを有する。このため背景壁部１２は、全体として平面視コ字状に形成されている。本体プレート１２１において、撮影筐体１１を向く面には、クロマキー処理のための単一の色（例えば、青色または緑色）が着色される。着色については、本体プレート１２１に直接ペンキなどで着色するほか、着色された布地、プレート等を取付けてもよい。図示はしないが、撮影空間１０の床面には、この本体プレート１２１と連続するように、当該本体プレート１２１と同様にクロマキー処理のための単一色が着色される。撮影筐体１１の後端縁と、天井フレーム１３の下端縁と、サイドプレート１２２の前端縁とから、上述したように、撮影空間１０に出入りするための第１出入口１０１ａ，１０１ｂが構成される。
【００２８】
編集出力筐体２１は、左右両側から２組のユーザが同時に編集可能な対面式であり、左右それぞれに操作面が設けられる。編集出力筐体２１は、左右方向の長さが背景壁部１２の同方向の幅よりも短い。編集出力筐体２１は、その前端面を背景壁部１２の背面の中央部に接続される。編集出力筐体２１の左右両側方のスペースが、２組のユーザがそれぞれ編集作業を行う編集空間２０ａ，２０ｂとなる。編集出力筐体２１の上方には、平面視においてほぼコの字状のカーテンフレーム２２が設けられる。カーテンフレーム２２は、前後方向に延びる一対の側部フレーム２２１と、この側部フレーム２２１の後端同士を連結する左右方向に延びる後部フレーム２２２とからなる。図示はしないが、編集出力筐体２１の内部には、例えばＰＣ（Personal Computer）等のＣＰＵ（Central Processing Unit）を備える計算機やプリンタが設置される。
【００２９】
各側部フレーム２２１の前端は、天井フレーム１３の後端に前後方向に延長状に連結され、後部フレーム２２２の中央部は、編集出力筐体２１の後上端部に設けられた支持部材２３によって支持される。左右一方側の側部フレーム２２１と、後部フレーム２２２のほぼ半分の長さ部分により、編集空間２０ａ，２０ｂに出入りするための前記第２出入口２０１ａ，２０１ｂの上枠部が構成される。
【００３０】
＜撮影筐体＞
図４は、撮影筐体の斜視図である。撮影筐体１１の室内側面には、撮影空間１０を前方から明るく照らすとともに、フラッシュ照射する正面照明ユニット１１５が設けられる。正面照明ユニット１１５は、中央上側のユニット部分１１５Ａと中央下側のユニット部分１１５Ｂとで構成される。中央上側のユニット部分１１５Ａおよびユニット部分１１５Ｂは、一体的に連結され、凹湾曲状に形成される。ユニット部分１１５Ａの中央には、被写体を正面からアップ撮影および全身撮影するためのカメラ１１１が搭載される。カメラ１１１は上側位置と下側位置の間を上下に移動できる形で設置される。カメラ１１１は、被写体をアップ撮影するときには図示するような下側位置（または上側位置）に制御され、焦点距離が標準ないし望遠側となるように制御されて被写体を撮影する。カメラ１１１は、被写体を全身撮影するときには上側位置（または下側位置）に制御されて、焦点距離が広角側となるように制御されて被写体を撮影する。カメラ１１１の下方にはタッチパネル式の正面モニタ１１３が設けられ、カメラ１１１で撮像される画像および撮影方法の案内が表示されるとともに、案内にしたがって入力されるユーザのタッチ操作を受け付ける。なお、変形例として撮影空間１０の外に事前設定部４０が設置されない構成の場合、事前設定部４０で行われる操作を正面モニタ１１３にて撮影が開始される前に行わせる。正面モニタ１１３の下方には、コイン投入部４２が設けられる。
【００３１】
＜編集出力筐体＞
図５は、編集出力筐体の斜視図である。編集出力筐体２１は、下部側の制御ボックス２１１と、この制御ボックス２１１の上に設けられた編集台部２１２とを有する。制御ボックス２１１の内部には、メインコンピュータユニットおよびＩ／Ｏコントローラなどの各種の制御装置が内蔵され、この制御装置が遊戯用撮影装置１００の全体の動作を制御する。
【００３２】
編集台部２１２は、左右方向を向く山形の傾斜面により形成され、各傾斜面に編集作業をするための操作面が設置される。具体的には、各操作面にはタブレットを内蔵した液晶モニタで構成された編集用モニタ２１３が設けられ、各編集用モニタ２１３の左右両側には２本のタッチペン２１４Ａ，２１４Ｂが接続される。編集用モニタ２１３はタッチパネルであり、ユーザはこのタッチペン２１４Ａ，２１４Ｂのペン先を編集用モニタ２１３の画面に接触させることにより、画面表示されたアイコンを選択する選択入力や、文字や描画の落書きをする場合の手書き入力ができる。なお、図５では、左側の編集用モニタ２１３を示すが、右側の編集用モニタ２１３も左側と同様の構造である。また、制御ボックス２１１の制御装置は、左右両側の編集用モニタ２１３への入力情報に対応する処理を個別に並列処理できる。制御ボックス２１１の側面下部にはシール紙排出口２１６が設けられる。シール紙排出口２１６には、編集部において編集処理を行うことによって作成した画像が印刷されたシール紙が排出される。そのため、制御ボックス２１１にはプリンタが内蔵され、プリンタはシール紙に画像を印刷する。制御ボックス２１１の正面下部にはスピーカ２１５が設けられ、編集処理および出力処理における案内音声、ＢＧＭ、効果音等の音を出力する。なお、本実施の形態では、編集筐体と出力筐体を一体として構成しているが、これらを別々の筐体で構成することもできる。
【００３３】
＜遊戯用撮影装置のハードウェア構成＞
図６は、遊戯用撮影装置１００のハードウェア構成を模式的に示すブロック図である。遊戯用撮影装置１００では、バスＸを介して、制御部５３、記憶部５４、撮影部５０、事前設定部４０、編集部５１、出力部５２が電気的に接続される。制御部５３は、公知のＣＰＵ(Central Processing Unit)、ＲＯＭ(Read Only Memory)、ＲＡＭ(Random Access Memory)を備える。制御部５３では、記憶部５４に記憶されるプログラムを実行し、遊戯用撮影装置１００の全体の動作を制御する。バスＸには、通信部５５、外部ドライブ５６も接続される。なお、制御部５３、記憶部５４、通信部５５および外部ドライブ５６は、公知のコンピュータにより構成してもよく、このようなコンピュータが上述した編集出力筐体２１の制御ボックス２１１に内蔵される。
【００３４】
記憶部５４は、ハードディスクやフラッシュメモリなどの不揮発性の記憶媒体で構成され、制御部５３から送信された各種の設定情報を記憶する。記憶部５４に記憶される情報は制御部５３により適宜読み出される。記憶部５４には、画像の合成や編集のために用いられる各種画像データ、画像処理のためのデータが記憶される。例えば、撮影画像の背景となる背景画像データなどが記憶される。制御部５３のＲＯＭには、ファームウェアなどのプログラムや設定情報などのデータが記憶され、ＲＡＭには、制御部５３において処理するデータやプログラムが一時的に記憶される。以下では、ＲＡＭ、ＲＯＭをまとめてメモリということがある。
【００３５】
通信部５５はインターネットなどのネットワークと接続するためのインタフェースであり、制御部５３による制御にしたがって外部の装置と通信する。外部ドライブ５６は、光ディスクや半導体メモリなどのリムーバブルメディアに対する読み出しや書き込みを実行する。例えば、外部ドライブ５６によりリムーバブルメディアから読み出されたコンピュータプログラムやデータは、制御部５３に送信され、記憶部５４に記憶されたり、プログラムとしてインストールされたりする。
【００３６】
事前設定部４０は、プレイ中（受付中や撮影中、編集中、印刷中等）に出力されるナレーション音声、合成用の背景画像やキャラクタ、撮影人数を含む撮影条件や撮影内容等の指示を撮影に先立ってユーザから受け取って事前設定するための装置である。本実施形態における事前設定部４０は、撮影コースとして「ノーマルコース」または「プリンスコース」のいずれを選択するかの指示を受け取って事前設定する。また「プリンスコース」を選択した場合には王子のキャラクタの選択指示を受け取ることによりキャラクタやナレーション音声の種類を事前設定する。事前設定部４０は、タッチパネル４１、コイン投入部４２、スピーカ４３を含む。タッチパネル４１は、公知のタッチパネルであり、表示装置としてユーザへの案内を表示するとともに、ユーザのタッチ操作に基づく指示を受け取る。コイン投入部４２は、コイン投入口に対するコインの投入を検出する。コイン投入部４２は、プレイに要する所定の金額分（プレイ料金分）のコインが投入されたことを検出した場合、そのことを表す起動信号を制御部５３に出力する。なお、コイン投入部４２に代えて、電子マネーやクレジットカードによるプレイ料金の支払を受け付け、当該起動信号を制御部５３に出力する装置を設けてもよい。スピーカ４３は、事前設定における案内音声、ＢＧＭ、効果音を出力する。
【００３７】
撮影部５０は、撮影空間１０における撮影処理をするために、照明制御部１８、カメラ１１１、正面モニタ１１３、およびスピーカ１９から構成される。
【００３８】
カメラ１１１は、制御部５３による制御にしたがって被写体を撮影する。カメラ１１１は、撮像により得られる被写体の動的映像または撮影により得られた被写体の静止画像を制御部５３に出力する。上述したように、カメラ１１１は、被写体の静止画および動画を正面からアップ撮影または全身撮影するためものであり、最適な画像を得るために撮影人数に応じて異なるカメラ位置、理想的な焦点距離や画角、トリミング範囲などの設定が予め行われる。カメラ１１１は、被写体の映像をリアルタイムに画像信号として出力する。カメラ１１１から出力された画像信号は制御部５３に入力されて、その内部のメモリに一時的に記憶される。
【００３９】
制御部５３は、表示制御部として機能し、カメラ１１１で撮像される被写体映像の画像信号を正面モニタ１１３に送信するとともにタッチパネルとしての正面モニタ１１３に対するユーザの操作入力を受信する。このとき、制御部５３は被写体映像にクロマキー合成により背景画像を合成した映像や静止画像を正面モニタ１１３に送信してもよいし、目の大きさや輪郭に変化を加える補正処理をした映像や静止画像を正面モニタ１１３に送信してもよい。なお、静止画像として保存される撮影画像データ（以下、単に「撮影画像」ということもある。）は高解像度の静止画データであり、ライブ映像を表示するための撮影画像データ（「スルー画像データ」とも呼ばれる。）は低解像度の動画データである場合が多いが、高解像度の動画データとしてもよい。
【００４０】
正面モニタ１１３は、カメラ１１１が撮像中のライブ映像をリアルタイム表示する。正面モニタ１１３はまた、カメラ１１１で撮影された静止画像としての撮影画像を表示する。照明制御部１８は、制御部５３より供給される照明制御信号にしたがって、撮影空間１０内の正面照明ユニット１１５が照射するフラッシュを制御する。照明制御部１８は、天井照明ユニット１４および正面照明ユニット１１５の内部に設けられる電灯（ＬＥＤや蛍光灯など）を制御することで、ユーザによる撮影処理の段階に応じて撮影空間１０内の明るさを調整する。スピーカ１９は、撮影プレイを案内するナレーション音声や効果音を出力する。スピーカ１９は、特に「プリンスコース」を選択している場合、選択したキャラクタ（以下、「選択キャラ」ともいう）のナレーション音声を出力する。
【００４１】
編集部５１ａ，５１ｂは、編集空間２０ａ，２０ｂのそれぞれにおける編集処理および出力処理のために設けられる。編集部５１ａおよび編集部５１ｂの機能や構成は同じであるため、以下では編集部５１ａのみを説明し、編集部５１ｂの説明を省略する。
【００４２】
編集部５１ａは、タブレット内蔵モニタとしての編集用モニタ２１３、２本のタッチペン２１４Ａ，２１４Ｂ、スピーカ２１５から構成される。編集用モニタ２１３は、制御部５３による制御にしたがって編集画面を表示し、編集画面に対するユーザの編集操作等を検出する。すなわち、ユーザにより、編集用モニタ２１３がタッチペン２１４Ａ，２１４Ｂでタッチされると、その操作およびタッチペン２１４Ａ，２１４Ｂのいずれでタッチされたのかが検出され、操作信号として制御部５３に送信される。これにより、ユーザは編集対象である合成画像を編集する。具体的には、編集用モニタ２１３に表示された画像に対し、例えば、文字、模様、図形などのいわゆる落書きを、タッチペン２１４Ａ，２１４Ｂなどの入力デバイスで入力する。これにより、合成画像に落書きが重ね合わされた編集済画像が生成される。またユーザは、編集済画像のレイアウトやシートデザイン画像が異なる複数の印刷用画像の中から好みの印刷用画像を選択する。ここで、「シートデザイン画像」は、シール紙において編集済画像が配置される領域以外の領域に印刷される画像である。選択された印刷用画像に基づく画像データは、出力部５２へ送信される。スピーカ２１５は、編集処理および出力処理を案内するナレーション音声、ＢＧＭ、効果音等の音を出力する。出力部５２は、印刷用画像を印刷するためのプリンタ３４およびシール紙ユニット３５を備える。プリンタ３４は、合成画像、または補正処理や編集処理によって得られた編集済画像に基づく印刷用画像を、プリンタ３４に装着されたシール紙ユニット３５に収納されているシール紙に印刷し、シール紙排出口２１６に排出する。なお、編集部５１で作成された画像データは、通信部５５によってネットワークを通じて管理サーバ３００に送信される。
【００４３】
＜遊戯用撮影装置の機能構成＞
図７は、遊戯用撮影装置１００の機能構成を模式的に示す機能ブロック図である。遊戯用撮影装置１００は、事前設定部４０、撮影処理部１３０、表示制御部１３５、データ生成部１４０、データ記憶部１５０、出力処理部１６０、および遊戯管理部１７０を含む。
【００４４】
本図は、遊戯用撮影装置１００を実現するための機能構成を示しており、その他の構成は省略している。本図において、さまざまな処理をする機能ブロックとして記載される各要素は、図６に示すハードウェアであるカメラ、ＣＰＵ、メインメモリ、その他のＬＳＩ（Large Scale Integrated circuit）で構成することができる。また、ソフトウェア的にはＲＡＭにロードされたプログラム等をＣＰＵが実行することによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。
【００４５】
事前設定部４０は、撮影に先立って、遊戯中に出力するナレーションなどの音声や、合成用の背景画像やキャラクタ等の撮影内容をユーザの指示に基づいて事前設定する。具体的には、事前設定部４０は、ユーザが「ノーマルコース」と「プリンスコース」のいずれかを選択することにより、ナレーション音声、背景画像、キャラクタ等を通常のセットと、架空の王子をモチーフにしたセットのいずれかを設定する。背景画像としては、ユーザが選択したコースに応じた複数種類の選択肢からユーザに選択させて事前設定する。また、プリンスコースの場合にのみ、キャラクタの種類をユーザに選択させて事前設定する。事前設定部４０は、撮影に先立って、被写体となるユーザの撮影人数、名前やグループ名等の撮影内容をユーザの指示に基づいて事前設定する。事前設定部４０が事前設定する撮影人数としては、「２人」「グループ」（「グループ」は３人以上を想定）のいずれかをユーザが選択する形で設定する。事前設定部４０による事前設定の内容はデータ記憶部１５０に記憶される。
【００４６】
撮影処理部１３０は、撮像部１３２、画像取得部１３３を含む。撮像部１３２は、事前設定部４０から受け取るプレイ開始の指示に基づき、画像取得部１３３による制御にしたがい、カメラ１１１により１人または複数のユーザを被写体として撮像する。表示制御部１３５は、撮像部１３２により撮影中の映像（以下、「ライブビュー」という）を正面モニタ１１３の画面にリアルタイムで表示させる。
【００４７】
より具体的な撮影手順として、まず画像取得部１３３が、撮像部１３２（すなわちカメラ１１１）の上下位置、焦点距離や画角、撮像部１３２で撮影される画像のトリミング範囲などを設定する。表示制御部１３５は、撮影の開始に先立ち、撮影中のポーズの手本をユーザに示すための手本画像を正面モニタ１１３の画面に表示させる。表示制御部１３５は、手本画像の表示を終了した後、撮像部１３２および画像取得部１３３により撮像されるユーザの映像のライブビューに切り替える。ライブビューに切り替えられた後で、画像取得部１３３は、撮像部１３２により撮像される被写体について、ユーザの画像を撮影して取得する。このような手本画像の表示からユーザの画像の撮影までの過程を５回繰り返すことにより５枚の画像を取得する。機種または撮影コースによっては、画像取得部１３３は撮像部１３２により撮像される被写体について動画像を取得する。
【００４８】
画像取得部１３３は、取得した複数の撮影画像および動画像をひとまとまりの撮影画像群としてデータ記憶部１５０に記憶させる。より具体的には、画像取得部１３３は、取得した複数の撮影画像に同一の画像ＩＤを付与し、かつ撮影画像を特定するために、各撮影画像に固有の画像識別子を付与する。また、複数のユーザで撮影する場合、ユーザごとに撮影画像群の画像ＩＤが付与される。すなわち、一つの撮影画像群に対し、ユーザの人数分の画像ＩＤが対応づけられる。例えば、ユーザの人数が２人の場合、第１画像ＩＤと第２画像ＩＤが一つの撮影画像群に対応づけられるとともに、第１画像ＩＤと第２画像ＩＤとが同じプレイにて生成されたＩＤであることを示す情報を対応づける。なお、変形例として、一つの撮影画像群に対し、ユーザの人数にかかわらず一つの画像ＩＤを付与し、一つの画像ＩＤとユーザの人数分のメールアドレスを対応づける仕様としてもよい。
【００４９】
データ生成部１４０は、背景処理部１４１、補正処理部１４２、編集処理部１４３、評価処理部１４４を含む。背景処理部１４１は、データ記憶部１５０に記憶される複数の撮影画像、および複数の動画像のそれぞれについて、被写体と背景画像を既知のクロマキー合成技術により合成する。すなわち背景処理部１４１は、撮影画像における被写体と、それ以外の領域である背景領域とを区別するための背景情報（クロマキーマスク）を２値化画像またはグレースケールの画像、あるいはそれらを圧縮したデータとして生成し、その背景情報を用いて被写体を背景から抽出した画像を取得する。撮影画像について背景処理部１４１は、その被写体のみの画像を、事前設定したユーザの好みの背景画像と合成する。被写体のみの画像および背景画像と合成した合成画像はデータ記憶部１５０に記憶される。撮影画像については、後の編集処理において被写体のみの画像に別の背景画像を合成してあらたな合成画像を生成し直すこともできる。背景処理部１４１は、撮像部１３２により撮影中のライブビュー映像からリアルタイムに被写体を抽出して背景画像を合成して表示制御部１３５により表示させる処理をしてもよい。また、背景処理部１４１は上述のクロマキー合成を、画像取得部１３３によって取得された動画像に対しても同様に処理し、合成動画像を生成する。
【００５０】
補正処理部１４２は、撮影画像に対する補正を実行する。撮影画像に対する補正は、目の色や大きさ、顔の輪郭、肌の色や質感等を変化させる処理であり、撮影後の編集処理（特に落書きの処理）に先立ち、撮影画像に対して所定の平均的な補正量による補正方法にて実行される。補正処理の方法は、撮影人数によって異なってもよく、また、アップ撮影による画像か全身撮影による画像かによって異なってもよい。アップ撮影による画像と全身撮影による画像とでは画像に写る目をはじめとする部位の大きさが異なり、顔ないし全身の印象に影響する目の印象度の割合も異なるため、目の拡大率などが僅かに相違してもよい。
【００５１】
編集処理部１４３は、落書きと呼ばれる編集処理を実行するとともに、複数の編集済画像を含む撮影画像群と、ユーザごとに１回のプレイで一意に発行される画像ＩＤやメールアドレスなどの情報を含む１プレイ分の付随情報とを紐付けたプレイ情報を生成する。撮影画像群のデータは、複数枚（例えば５〜８枚）の撮影画像や撮影画像を編集した編集済画像、動画像を含む。付随情報は、遊戯用撮影装置１００によりプレイ時に生成される情報であり、撮影画像群を特定するための画像ＩＤやユーザのメールアドレスをユーザの人数分だけ含む。ただし、ユーザがメールアドレスを入力しなかった場合はそのユーザのメールアドレスは付随情報に含まれない。付随情報は、ユーザの名前（ただし、ユーザが入力した場合）、撮影コースの種類（ノーマルコースまたはプリンスコース）、選択キャラの種類、特典ＩＤ、後述の「好感度ゲーム」のゲーム結果情報、プレイまたは撮影の日時を示す時間情報、機種を特定するための機種ＩＤ、店舗や撮影位置や地域などの位置を示す位置情報、無料会員用の取得画像選択情報、ユーザの端末ＩＤ、といった情報を含んでもよい。画像ＩＤは、所定桁数の数字やアルファベット等の文字で構成され、その画像ＩＤの中に、機種ＩＤや撮影コースの情報が内包されていてもよい。機種ＩＤや撮影コースの情報は、画像ＩＤとは別個の情報として付随情報に含まれてもよい。特典ＩＤは、後述の「好感度ゲーム」の結果としてユーザが獲得した特典の種類を示す。ゲーム結果情報は、後述の「好感度ゲーム」にてユーザがクリア条件を達成した割合や特典を獲得したか否かを含む、ゲームの結果を示す情報である。時間情報は、プレイ開始時刻、撮影時刻、編集時刻、印刷時刻、画像送信時刻、画像受信時刻のいずれを用いてもよい。位置情報は、ＧＰＳ情報などに基づく緯度や経度の情報でもよいし、当該装置が設置された店舗の店舗名、位置、地域などを示す情報でもよい。無料会員用の取得画像選択情報は、無料会員がダウンロード用にいずれの撮影画像を選択したかを示す情報である。ユーザのメールアドレスとしては、一緒にプレイをした複数人のメールアドレスを含んでもよい。付随情報には、ユーザの名前、撮影コースの種類、選択キャラの種類、特典ＩＤが含まれ得るなど、撮影コースがノーマルコースかプリンスコースのどちらであるかによって内容が異なり、管理サーバ３００へ送信されるデータが異なることになる。また、画像ＩＤはユーザの人数分が割り当てられ、画像ＩＤごとに対応づけられる付随情報の内容も異なる。例えば、第１のユーザ用の第１画像ＩＤと第２のユーザ用の第２画像ＩＤとでは、無料会員用の取得画像選択情報が示す画像、ユーザの名前、メールアドレスが異なる。また例えば、第１画像ＩＤには「好感度ゲーム」で第１のユーザが獲得した特典ＩＤが対応づけられるのに対し、第２画像ＩＤには「好感度ゲーム」で第２のユーザがクリア条件を達成できなかった旨のゲーム結果情報が対応づけられて特典ＩＤが対応づけられていない、といったこともあり得る。落書きと呼ばれる編集処理の詳細については後述する。
【００５２】
編集処理部１４３は、背景処理部１４１による背景画像の合成と補正処理部１４２による補正処理がなされた撮影画像を編集対象画像とし、その編集対象画像に対して編集処理を実行する。編集処理は複数の編集対象画像に対して個別に実行されるとともに、複数のユーザからのそれぞれの指示に基づいて複数の編集対象画像に対して同時並行的に実行され得る。
【００５３】
具体的には、編集処理部１４３は、補正処理部１４２により補正された合成画像と、合成画像に装飾として重畳しうる文字、模様、図形、スタンプ画像などの編集ツールと、を含む編集画面を編集用モニタ２１３に表示させ、合成画像に対する編集処理の指示を受け付ける。編集処理部１４３は特にプリンスコースを選択している場合、事前設定部４０が受け付けた王子のキャラクタに応じた編集ツールを編集画面に初期的に表示させる。編集処理の指示は、タッチペン２１４を用いた編集用モニタ２１３に対するユーザの編集操作、例えば編集ツールを選択する選択操作や編集対象画像（合成画像）に対して位置を指定する入力操作により入力される。編集処理部１４３は、ユーザの選択した編集ツールに対応する編集を編集対象画像に施して複数の編集済画像を生成し、これをデータ記憶部１５０に記憶させる。また、編集処理部１４３は、シート紙に印刷する印刷用画像を決定させるための選択画面を編集用モニタ２１３に表示させ、印刷用画像の選択を受け付ける。
【００５４】
評価処理部１４４は、プリンスコースが選択されている場合の編集処理において「好感度ゲーム」を実行する。「好感度ゲーム」は、編集処理において選択キャラが画面に表示されてユーザに編集機能の操作指令を出す形で展開する一種のゲーム的要素である。そして、ユーザがその操作指令にしたがって編集機能を使用するほど、選択キャラのユーザに対する「好感度」が上がり、その「好感度」が１００％に達すれば特典画像と特典音声がユーザに付与される。評価処理部１４４は、複数種類の編集機能のうちいずれかに対するユーザの操作内容が、あらかじめ定められる複数の達成条件を満たすか否かを評価し、その評価の結果を「好感度」の形で画面に表示する。評価処理部１４４は、複数種類の操作指令を順次提示し、それら複数の操作指令に対する評価を実行する。
【００５５】
評価処理部１４４は、複数種類の編集機能のうちいずれかの機能を利用する旨の操作指令を、選択キャラの画像表示とその選択キャラの音声出力の形でユーザに提示し、その操作指令の通りにユーザが操作した場合に複数の達成条件の一つを満たしたと評価する。好感度ゲームの結果としてユーザに付与し得る複数種類の特典画像および複数種類の特典音声は、互いに対応づけられた状態でデータ記憶部１５０に記憶される。これら複数種類の特典画像および複数種類の特典音声は、同じデータが管理サーバ３００にも保持されている。すべての達成条件を満たした状態、すなわち「好感度」が１００％に達した状態だけでなく、一部の達成条件を満たした段階でも何らかの特典をユーザに付与する仕様としてもよい。例えば、達成条件を一つ満たすたびに、特典となるような内容にて選択キャラの画像や音声を出力してもよい。具体的には、条件を達成するたびに選択キャラの表情を変えたり、選択キャラの音声を出力したりする。
【００５６】
出力処理部１６０は、印刷処理部１６１、送信出力部１６３を含む。印刷処理部１６１は、データ記憶部１５０に記憶された複数の編集済画像に基づく印刷用画像をプリンタ３４によりシール紙に印刷する。送信出力部１６３は、ネットワークを介して管理サーバ３００へ編集済画像を含むプレイ情報を送信する。送信出力部１６３は、プレイの終了後にタッチパネル上に表示されるキーボードに、ユーザによって入力されたメールアドレス等の個人を特定する識別情報を受け付ける。送信出力部１６３は、編集済画像や動画像を含む撮影画像群のデータを、入力されたメールアドレスや画像ＩＤ、ユーザの名前、撮影コースの種類、選択キャラの種類、特典ＩＤ、ゲーム結果情報などの付随情報と対応づけてプレイ情報として管理サーバ３００にアップロードし、ユーザによって後に編集済画像などをダウンロードさせることができる。特典ＩＤは、ユーザに付与された特典画像のＩＤや、特典画像の付与に関連して再生された特典音声のＩＤである。送信出力部１６３は、非接触無線通信を介してユーザの端末へ複数の編集済画像を送信してもよい。遊戯管理部１７０は、遊戯の情報を管理する。例えば、１日に実行されるプレイの回数をカウントして管理し、タイマー手段などによりプレイ日時を取得して管理する。
【００５７】
図８は、管理サーバ３００の機能構成を模式的に示す機能ブロック図である。管理サーバ３００は、遊戯用撮影装置１００から取得したプレイ情報や写真撮影サービスの利用履歴などのユーザ情報を管理するサーバである。管理サーバ３００は、データ記憶部３１０、通信処理部３２０、データ設定部３２５、ページ制御部３３０、認証処理部３４０を含む。データ記憶部３１０は、ユーザのデータを記憶する。通信処理部３２０は、ネットワーク２００を介して端末装置５００や遊戯用撮影装置１００と通信する。データ設定部３２５は、遊戯用撮影装置１００から受信したプレイ情報に基づいて画像やユーザの登録を設定する。ページ制御部３３０は、撮影画像群をダウンロードできる画像取得サイトを制御する。認証処理部３４０は、ユーザを認証する。
【００５８】
データ記憶部３１０は、会員情報記憶部３１１、一時画像記憶部３１３、永続画像記憶部３１４、特典記憶部３１５を含む。会員情報記憶部３１１は、会員登録済みのユーザごとの識別情報としてユーザのメールアドレスをユーザの登録情報や画像ＩＤと対応づけて記憶するデータベースである。ユーザ登録情報は、会員登録済みのユーザについての会員種別の情報である。会員種別には無料会員と有料会員の２種類がある。非会員ユーザ、有料会員ユーザ、無料会員ユーザの違いにより、受けられるサービスが異なり、無料会員ユーザには会費を課金しないのに対し、有料会員ユーザには、例えば月額３００円といった会費を定期的に課金処理する。ユーザの登録情報として、会員専用の画像取得サイトにログインするためのパスワードの他、性別、生年月日、居住地域といった、ユーザが会員登録時に入力した個人情報をさらに記憶してもよい。
【００５９】
一時画像記憶部３１３は、遊戯用撮影装置１００から送信された１プレイ分の撮影画像群をユーザの人数分の付随情報（画像ＩＤ、メールアドレスなどの情報）と対応づけて記憶するデータベースである。一時画像記憶部３１３は、管理サーバ３００から送信された１プレイ分の撮影画像群が所定期限まで一時的に格納される画像格納領域である。永続画像記憶部３１４は、有料会員ユーザが保存した画像群が無期限に永続的に格納される画像格納領域である。特典記憶部３１５は、特典画像や特典音声を特典ＩＤと対応づけて記憶するデータベースである。
【００６０】
データ設定部３２５は、遊戯用撮影装置１００から受信したプレイ情報に含まれる撮影画像群をユーザごとの付随情報と紐付けて一時画像記憶部３１３に格納し、それらを一時格納領域から消去するまでの期限、例えば格納から１週間後の日時を設定する。データ設定部３２５は、遊戯用撮影装置１００から受信したプレイ情報にメールアドレスが含まれる場合、そのメールアドレスが会員情報記憶部３１１に登録されているか否かを照合する。受信したプレイ情報に含まれるメールアドレスが有料会員ユーザまたは無料会員ユーザとして会員情報記憶部３１１に登録されていた場合であって、そのプレイ情報に含まれる撮影画像群の画像ＩＤ（上記にて会員登録が確認されたメールアドレスに対応する画像ＩＤ）に特典ＩＤが対応づけられていた場合、データ設定部３２５は、その画像ＩＤのユーザが特典を獲得したと判定し、会員情報記憶部３１１に登録されたメールアドレスを含む会員情報に特典ＩＤを登録する。データ設定部３２５は、一時画像記憶部３１３における画像の格納位置、メールアドレス、画像ＩＤに基づいて、画像取得サイトへのリンクするコンテンツアクセス情報（ＵＲＬ）を生成する。データ設定部３２５は、コンテンツアクセス情報を記載した電子メール（以下、「通知メール」という）を生成し、そのメールアドレス宛に送信する。プレイ情報に含まれる付随情報のうち撮影コースの種類を示す情報に基づいて、ユーザが「プリンスコース」を選択していたと判定した場合、付随情報に含まれるユーザの名前、選択キャラの種類、ゲーム結果情報などの情報に基づいて通知メールが生成される。例えばユーザの名前が宛名として書かれ、選択キャラからユーザに送られるような文面で生成される。コンテンツアクセス情報をユーザに通知する手段は、電子メールに限らず、例えばＬＩＮＥ（登録商標）やｔｗｉｔｔｅｒ（登録商標）などのＳＮＳアプリやメッセージアプリであってもよい。ユーザの名前や選択キャラの種類、ゲーム結果情報に基づくスタンプやボイスメッセージを、コンテンツアクセス情報の送信に際してあわせて送信することもできる。
【００６１】
ユーザがコンテンツアクセス情報に基づいて自分の画像ＩＤの撮影画像群のＵＲＬにアクセスして画像取得サイトにログインしたとき、データ設定部３２５は、ログインに使用したメールアドレスと画像ＩＤの対応関係を会員情報記憶部３１１に記憶させる。また、データ設定部３２５は、受信したプレイ情報に含まれるメールアドレスが会員情報記憶部３１１に会員登録されていなかった場合や、そもそもプレイ情報にメールアドレスが含まれていなかった場合（ユーザがメールアドレスを入力しなかった場合）、ユーザがコンテンツアクセス情報に基づいて自分の画像ＩＤの撮影画像群にアクセスしてログインしたときに、そのログインに使用したメールアドレスを含む会員情報（会員情報記憶部３１１が記憶する会員情報）に特典ＩＤを登録する。
【００６２】
一方、通知メールに記載されたコンテンツアクセス情報に基づくのではなく、ユーザが画像取得サイトにログインして自分の画像ＩＤを手入力することで撮影画像群にアクセスした場合、データ設定部３２５は、そのログインに使用したメールアドレスと画像ＩＤの対応関係を会員情報記憶部３１１に記憶させる。また、データ設定部３２５は、受信したプレイ情報に含まれるメールアドレスが会員情報記憶部３１１に会員登録されていなかった場合や、そもそもプレイ情報にメールアドレスが含まれていなかった場合（ユーザがメールアドレスを入力しなかった場合）、ユーザが画像取得サイトにログインして画像ＩＤを入力したときに、そのログインに使用したメールアドレスを含む会員情報（会員情報記憶部３１１が記憶する会員情報）に特典ＩＤを登録する。
【００６３】
有料会員ユーザの場合、データ設定部３２５は、そのユーザの撮影画像群を画像ＩＤと対応づけて永続画像記憶部３１４に保存し、そのユーザが無期限でアクセスできるように設定する。また、特典ＩＤは会員情報記憶部３１１に記憶され、特典画像および特典音声は無期限で特典記憶部３１５に記憶されるため、画像ＩＤに基づいて一時画像記憶部３１３へアクセスできる期限とは関係なく、有料会員と無料会員のどちらでも無期限で特典ＩＤに対応する特典画像および特典音声にアクセスできる。
【００６４】
ページ制御部３３０は、ユーザに画像を取得させる画像取得サイトを表示するためのウェブサーバ上のプログラムを実行することで、撮影画像群に含まれる画像をユーザに提供する。ページ制御部３３０が実行するプログラムは、画像取得サイトを構成するページとなるＨＴＭＬデータを動的に生成するプログラムであり、ユーザが操作する端末装置５００からの表示要求に対応して動的にＨＴＭＬデータを生成して表示させる。端末装置５００からの表示要求は、例えば通知メールに記載されたコンテンツアクセス情報に含まれる画像取得サイトのＵＲＬに基づいてユーザが端末装置５００から送信する表示要求であり、その場合、ＵＲＬにはユーザのメールアドレスや画像ＩＤなどの情報が含まれる。このとき、認証処理部３４０は画像取得サイト（マイページ）へのログインをユーザに要求し、会員登録が済んでいないユーザに対しては新規会員登録およびログインを求める。認証処理部３４０は、ログイン情報としてメールアドレスおよびパスワードの入力を受け付け、会員情報記憶部３１１に記憶された情報に基づいて認証する。新規会員登録の場合、認証処理部３４０は入力されたメールアドレスおよびパスワードをログイン情報として会員情報記憶部３１１に登録し、ログインを処理する。ページ制御部３３０は、ログインが済んだユーザについてその画像ＩＤに対応する撮影画像群のページを生成して端末装置５００に送信する。このときページ制御部３３０は、画像ＩＤに特典ＩＤが対応づけられて会員情報記憶部３１１に記憶されていた場合、その特典ＩＤに対応する特典画像を含める形で撮影画像群のページを生成する。
【００６５】
ユーザは画像取得サイトのＵＲＬのブックマーク等に基づいてそのトップページにアクセスして自分の画像ＩＤを入力することにより目的とする撮影画像群にアクセスすることもできる。この場合も、認証処理部３４０は画像取得サイトへのログインをユーザに要求し、会員登録が済んでいないユーザに対しては新規会員登録およびログインを求める。ページ制御部３３０は、ログインが済んだユーザについてその画像ＩＤに対応する撮影画像群のページを生成して端末装置５００に送信する。このときページ制御部３３０は、画像ＩＤに特典ＩＤが対応づけられて会員情報記憶部３１１に記憶されていた場合、その特典ＩＤに対応する特典画像を含める形で撮影画像群のページを生成する。
【００６６】
ユーザが画像取得サイトにおいて特典画像および特典音声の一覧を表示する特典保管ページ画面の表示を要求した場合、ページ制御部３３０は、特典記憶部３１５に記憶される当該機種に対応する特典画像および特典音声の一覧を含んだページを生成して端末装置５００に送信する。また、特典保管ページ画面において、ユーザが獲得済みの特典として、そのユーザのメールアドレスと紐付けられて会員情報記憶部３１１に記憶される特典ＩＤに対応する特典画像および特典音声が表示または再生可能な特典として一覧に含められ、未獲得の特典は画像枠だけを表示して特典そのものの表示および再生は不可となる形で一覧に含められる。
【００６７】
＜遊戯過程＞
図９は、プレイの受付段階における処理の流れを示すフローチャートである。まず、事前設定部４０のタッチパネル４１にデモ画面を表示し（Ｓ１００）、ユーザによりプレイ料金のコインが投入された場合（Ｓ１０１）、スタート画面を表示し（Ｓ１０２）。ユーザがスタートボタンを押下した後、撮影コースの選択として、従来通りの遊戯が提供される「ノーマルコース」か、本実施形態により実現される「プリンスコース」のいずれかを選択するための操作をする（Ｓ１０３）。なお、Ｓ１００〜Ｓ１０３のいずれかのタイミングで、ユーザを歓迎する挨拶として、王子のキャラクタのナレーション音声を出力する。この歓迎のナレーション音声としては、基本的なナレーション音声の他、遊戯用撮影装置１００の電源投入から所定回数、例えば１０回の遊戯に限って出力するための特別なナレーション音声や、１日のうちで遊戯が相対的に少ない時間帯、例えば夜間といった所定の時間帯に限って出力するための特別なナレーション音声を用いてもよい。プレイの回数の情報やプレイの日時の情報は遊戯管理部１７０によって取得され、管理される。
【００６８】
ユーザによって「ノーマルコース」が選択された場合はそのままプレイ人数の選択画面に切り替え（Ｓ１０５）、「プリンスコース」が選択された場合は、遊戯中に登場させる（画面に表示させたり、音声を出力したりする）王子のキャラクタをユーザに選択させてから（Ｓ１０４）、プレイ人数の選択画面に切り替える（Ｓ１０５）。プレイ人数の選択画面において、ユーザはプレイ人数として「２人」または「グループ」のいずれかを選択する（Ｓ１０５）。このプレイ人数は、「２人」か「グループ」かによってカメラの焦点距離を調整してそれぞれの人数に相応しい画角を設定するために必要な情報である。プレイ人数として「２人」が選択された場合は、２人のユーザのそれぞれについて自分の名前（ここでいう「名前」は画面で表示したり、キャラクタの音声で読み上げる名前であったり、スタンプ画像等の編集ツールで用いる名前である）を文字で入力させる（Ｓ１０６）。プレイ人数として「グループ」が選択された場合は、グループ名を一つだけ文字で入力させる。
【００６９】
Ｓ１０６で入力された名前は、以降の遊戯において画面に表示され、編集処理においてスタンプ画像などの編集ツールのデザインとして用いられ、印刷デザインの一部として用いられる。プリンスコースの場合、画面表示、編集処理、印刷におけるデザインの一部として用いられるだけでなく、キャラクタがその名前を読み上げてユーザに話しかけるなど、ナレーション音声の一部としても用いられる。図１３の名前入力画面６７０において自分の名前を入力しただけで「好感度ゲーム」において有利となる仕様としてもよい。また「好感度ゲーム」において好感度が上がるたびに名前の呼び方が変わっていく仕様としてもよい。例えば、最初は「○○さん」という呼び方であったものが「○○ちゃん」「○○」など、徐々に親しい間柄の呼び方に変わるなどである。こうした音声は、画像取得サイト上でもストリーミング再生される。そのため、ユーザの名前と好感度を示すゲーム結果情報は付随情報の一部として管理サーバ３００へ送信され、管理サーバ３００上でもその名前を読み上げるナレーション音声が生成される。好感度の情報や選択キャラの情報は、符号化されて特典ＩＤの一部に含められてもよい。変形例として、遊戯用撮影装置１００で読み上げた音声そのもののデータを管理サーバ３００へ送信する仕様としてもよい。
【００７０】
名前の入力後、背景画像の選択画面を表示してユーザに背景画像を選択させる（Ｓ１０７）。５枚の写真を撮影する仕様の場合、ユーザは５枚の背景画像を選択してもよいし、５枚の背景画像が含まれる背景画像セットを選択してもよい。ユーザが「ノーマルコース」を選択している場合は（Ｓ１０８）、コース選択画面を表示して、ユーザに「盛れるムービー」と「プラスショット」のいずれかのコースを選択させ、「プラスショット」が選択された場合にはさらに「アップ撮影」と「全身撮影」のいずれかの撮影方法をユーザに選択させる（Ｓ１０９）。その後、撮影待機時間に「ノーマル撮影待ちデモ」画面を表示し（Ｓ１１０）、撮影の順番が回ってきたときに移動案内を表示し（Ｓ１１１）、ユーザは撮影空間１０へ移動する（Ｓ１１５）。
【００７１】
ユーザが「プリンスコース」を選択している場合は（Ｓ１１２）、「プリンス撮影待ちデモ」画面として、選択キャラの自己紹介を表示する（Ｓ１１３）。ここで、自己紹介の音声や映像として、相対的に時間が短い自己紹介と相対的に時間が長い自己紹介の両方をあらかじめ用意しておき、前のユーザの撮影が終わっておらずしばらく待機する必要がある場合と、撮影待ちがない、あるいは間もなくして撮影空間１０が空いて撮影の順番が回ってくる場合とで、短い自己紹介と長い自己紹介を使い分けてもよい。さらに変形例として、一つの長い自己紹介データを用意しておき、撮影待機時間の長さに応じて自己紹介データをトリミングして使用してもよい。また、一つの長い自己紹介データを用意しておき、撮影待機時間の長さに応じて自己紹介データを再生する長さを変更してもよい。例えば、撮影待機時間が、第１の閾値未満の場合は、きりがよく一番短い再生時間Ａだけ自己紹介データを再生する。撮影待機時間が第１の閾値よりも大きい第２の閾値未満であり、第１の閾値以上の場合は、再生時間Ａよりも長くきりがいい再生時間Ｂだけ自己紹介データを再生する。撮影待機時間が第２の閾値以上である場合は、自己紹介データをループして再生を行う。長い自己紹介データとしては、例えば王子ごとの詳細なプロフィール情報や趣味に関する情報などが音声や映像、文字などで含まれていてもよい。撮影の順番が回ってきたときに選択キャラを用いた移動案内を表示し（Ｓ１１４）、ユーザは撮影空間１０へ移動する（Ｓ１１５）。
【００７２】
図１０は、撮影段階における処理の流れを示すフローチャートである。撮影を案内するナレーション音声にしたがってユーザがスタート画面をタッチすると遊戯がスタートする。「ノーマルコース」を選択している場合（Ｓ１２０）、アップ撮影に関して理想的な立ち位置などを説明する内容を画面に表示し（Ｓ１２１）、カメラを下側位置に設定し、焦点距離を望遠側にして画角をアップにしてアップ撮影を３回繰り返す（Ｓ１２２）。次に全身撮影に関して理想的な立ち位置などを説明する内容を画面に表示し（Ｓ１２３）、カメラの上側位置に移動させ、焦点距離を広角側にして画角を広げて全身撮影を２回繰り返す（Ｓ１２４）。前図のＳ１０９のコース選択においてユーザが「盛れるムービー」を選択していた場合はムービー撮影に関する説明を画面に表示してから（Ｓ１２５）、ムービー撮影を３回繰り返す（Ｓ１２６）。ユーザが「プラスショット」を選択していた場合であって（Ｓ１２７）、アップ撮影を選択していた場合はアップ撮影を２回実行する（Ｓ１２８）。ユーザが「プラスショット」を選択していた場合であって（Ｓ１２７）、全身撮影を選択していた場合は全身撮影を２回実行する（Ｓ１２９）。
【００７３】
ユーザが「プリンスコース」を選択している場合（Ｓ１３０）、アップ撮影に関して理想的な立ち位置などを、あらかじめユーザが選択した王子のキャラクタが案内する内容を画面に表示し（Ｓ１３１）、カメラを下側位置に設定し、焦点距離を望遠側にして画角をアップにしてアップ撮影を３回繰り返す（Ｓ１３２）。次に全身撮影に関して理想的な立ち位置などを、あらかじめユーザが選択した王子のキャラクタが案内する内容を画面に表示し（Ｓ１３３）、カメラの上側位置に移動させ、焦点距離を広角側にして画角を広げて全身撮影を２回繰り返す（Ｓ１３４）。「プリンスコース」の場合はＳ１２５〜Ｓ１２９の処理はスキップする。
【００７４】
残り時間（Ｓ１３５）が所定時間以上であれば（Ｓ１３６）、ボーナスショット撮影を繰り返す（Ｓ１３７）。このとき、直前のカメラ位置が上側位置の場合は全身撮影、カメラ位置が下側位置の場合はアップ撮影を実行する。カメラの高さを変更して焦点距離を設定し直す時間的な余裕がないためであって、そのような設定変更の時間を節約して少しでも多くのボーナスショットをユーザに撮らせてあげるためである。残り時間がなければ（Ｓ１３８）、Ｓ１３７をスキップする。
【００７５】
「ノーマルコース」の場合は通常の移動案内を画面に表示し（Ｓ１３９）、「プリンスコース」の場合は選択キャラが移動を案内する画面を表示する（Ｓ１４０）。ユーザは案内にしたがって編集空間２０へ移動する（Ｓ１４１）。
【００７６】
図１１は、落書き段階における処理の流れを示すフローチャートである。ノーマルコースとプリンスコースのいずれの場合も、左右に分割された編集画面のいずれかをユーザがタッチしたときに、ノーマルコースでの落書き（Ｓ１５０）、またはプリンスコースでの落書き（Ｓ１５１）を開始する。まず、「次は落書きだよ！」といった落書き処理の案内する文字列を含む画面を表示し（Ｓ１５２）、「プリンスコース」の場合、この案内画面では選択キャラの音声によるナレーションで案内する。次に、左右に分割された編集画面のそれぞれの領域に、「Ａさん」「Ｂさん」など、受付段階（図９）のＳ１０６において入力された名前を表示する。例えば左の領域に「Ａさん」、右の領域に「Ｂさん」と表示し、実際に編集画面の前に立つ２人のユーザの立ち位置が逆であった場合に名前の表示の入替を指示する「名前入替ボタン」と、左右の名前が正しい場合の「確定ボタン」を画面に表示しておく。ユーザが「名前入替ボタン」を押下した場合は、名前の表示を左右で入れ替え、左の領域に「Ｂさん」、右の領域に「Ａさん」と表示する。ユーザが「確定ボタン」を押下した場合、その時点で左右に表示される名前をそれぞれ左右の編集領域のいずれかと紐付けて記憶する。
【００７７】
次に落書き本編へ遷移し、ユーザの指示に応じて編集処理を実行する（Ｓ１５４）。このとき、ユーザが「プリンスコース」を選択している場合は「好感度ゲーム」を実行する。「ノーマルコース」を選択している場合は「好感度ゲーム」は実行されない。編集処理の終了後、ノーマルコースの場合はノーマルコース用のシールレイアウトの選択画面の説明を表示し（Ｓ１５５）、プリンスコースの場合はプリンスコース用のシールレイアウトの選択画面の説明を表示する（Ｓ１５６）。ユーザにシールレイアウトを選択させた上で、そのシールレイアウトに沿って、他の画像より大きく表示する画像を選択させる（Ｓ１５７）。このとき、プリンスコースの場合はＳ１５４における「好感度ゲーム」の結果としてユーザに付与された特典としての所定のシールレイアウトを表示してもよい。ユーザが無料会員の場合、無料で付与される画像を複数の撮影画像から選択する（Ｓ１５８）。ノーマルコースの場合、ムービーを選択（Ｓ１５９）、またはプラスショットを選択し（Ｓ１６０）、メールアドレス入力画面に移行する（Ｓ１６１）。Ｓ１５８においてプリンスコースの場合はＳ１５９およびＳ１６０をスキップして、メールアドレス入力画面に移行する（Ｓ１６１）。
【００７８】
ユーザにメールアドレスを入力させた後（Ｓ１６１）、プリント準備の案内画面を表示し（Ｓ１６２）、ノーマルコースの場合はノーマルコース用の案内画面にてシール紙の取り出し口を案内し（Ｓ１６３）、プリンスコースの場合はプリンスコース用の案内画面にてシール紙の取り出し口を案内し（Ｓ１６４）、ユーザは案内にしたがって取り出し口からシール紙を受け取ることができる（Ｓ１６５）。
【００７９】
＜画面例の説明＞
図１２は、事前設定部４０のタッチパネル４１に表示される受付時の画面例を模式的に示す図である。図１２（ａ）は遊戯案内ナレーションの音声モードとして、第１のモード（通常モード）である「ノーマルコース」と、第２のモード（特殊演出モード）である「プリンスコース」のいずれかをユーザに選択させるモード選択画面６５０を示す。ユーザが「ノーマルコース」を示すノーマルコースボタン６５１を手でタッチして選択した場合は、図示しないユーザ人数選択画面に遷移し、通常のナレーション音声とともに遊戯が進行されることが決定される。ユーザが「プリンスコース」を示すプリンスコースボタン６５２を手でタッチして選択した場合は、図１２（ｂ）のキャラクタ選択画面６６０に遷移し、王子の案内役キャラクタのナレーション音声とともに遊戯が進行されることが決定される。
【００８０】
図１２（ｂ）はプリンスコースに用意された複数の案内役キャラクタからいずれかをユーザに選択させるキャラクタ選択画面６６０を示す。キャラクタ選択画面６６０には、４人分の王子の案内役キャラクタが表示し得る領域が設けられている。ただし、本図の画面例では第１のキャラクタ６６１ａ、第２のキャラクタ６６１ｂ、第３のキャラクタ６６１ｃの３人が表示され、第４のキャラクタ６６１ｄは表示されていない。第４のキャラクタ６６１ｄは、当該機種の発売時期には未公開のキャラクタであり、後日、当該機種のソフトウェアアップデートの際にインストールされることで、公開時期をずらして一般公開されることを予定したキャラクタである。この時点では、第１のキャラクタ６６１ａから第３のキャラクタ６６１ｃの３人のうちいずれかをユーザは選択でき、３人のうちいずれかを手でタッチして選択すると、その選択したキャラクタが中央に拡大表示され、そのキャラクタがタッチ領域６６２に手を伸ばし、掌を広げてエスコートしようとしている姿で表示される。単純なキャラクタ選択ボタンを画面に設けるのではなく、キャラクタが差し伸べた手にタッチさせることを選択ボタンの代わりにしている。この画面例では第３のキャラクタ６６１ｃが中央に拡大表示されており、この状態でユーザがタッチ領域６６２を手でタッチすると、中央に拡大表示されているキャラクタの選択が確定し、図示しないユーザ人数選択画面に遷移する。以降、このプレイにおいてはナレーション音声がすべて第３のキャラクタ６６１ｃの声としてあらかじめ用意された音声が再生されることで、ユーザが選択したキャラクタがエスコートしながら遊戯を案内することとなる。その他、ナレーション音声だけでなく、所定タイミングで選択される背景画像や特典画像において、ユーザが選択したキャラクタの画像が適宜用いられることとなる。なお、ユーザが複数人であっても、選択できるキャラクタは便宜上、一人だけである。変形例としては、複数のユーザがそれぞれ別々のキャラクタを選択できるようにしてもよい。
【００８１】
図１３は、事前設定部４０のタッチパネル４１に表示される、ユーザの名前入力時の画面例を模式的に示す図である。図１３（ａ）の名前入力画面６７０は、左入力領域６７１と右入力領域６７２から構成され、画面に向かって左側に立つユーザは左入力領域６７１に表示されたボタンを手でタッチして自分の名前を入力する。画面に向かって右側に立つユーザは右入力領域６７２に表示されたボタンを手でタッチして自分の名前を入力する。この画面は、図示しないユーザ人数選択画面でユーザが「２人」を選択した場合に表示される画面であり、ユーザが「グループ」を選択した場合は名前入力画面が中央に１つだけ表示される画面が表示される。
【００８２】
ここで、名前入力画面６７０にアルファベット（あるいは、平仮名やカタカナ）などのキーを表示する場合、キーの数が多いため一つ一つのキーが相対的に小さくなり、ユーザがキーを指でタッチするときにキーに書かれた文字表記が指に隠れて見えなくなる。文字表記が見えないと、指でタッチする瞬間にどのキーをタッチしているのかがユーザから分かりにくくなり、誤入力の原因となり得る。そこで、図１３（ｂ）のように指でキー６８０ａをタッチする瞬間にそのキーの上部など、キー６８０ａの外側となる位置などのキー６８０ａ付近に拡張表示６８１ａを表示する。拡張表示６８１ａにはそのキーによって入力される文字が表記されるため、キー６８０ａそのものが指で隠れても、ユーザは拡張表示６８１ａを見ることによって現在どの文字のキーにタッチしているかを簡単に把握できる。仮に誤入力していてもすぐに気がつきやすくなる。また、拡張表示６８１ａの文字表記を見てその誤入力に気がついた場合、指をキー６８０ａから離さなければその文字は入力されないため、指を画面から離さずタッチしたまま隣接する正しいキー、例えばキー６８０ｂまで指を移動し、正しいキー６８０ｂの上で指を画面から離したときにその文字が入力される。このとき、指がキー６８０ａの上から離れると、拡張表示６８１ａを消去する。なお、指を画面から離さずタッチしたままの状態で、別のキー６８０ｂの上に指が配置された場合、指が配置されているキー６８０ｂの付近にキー６８０ｂに対応する拡張表示６８１ｂが表示される。
【００８３】
図１４は、事前設定部４０のタッチパネル４１に表示される、背景画像選択画面の画面例を模式的に示す図である。背景選択画面６９０には、図示の通り、背景画像の選択をユーザに促す「撮りたい背景を選んでね」の文字列が表示される。ユーザはこれから５枚の画像を撮影することを前提に、それぞれ別個の背景画像をあらかじめ選択して指定することができる。背景選択画面６９０の上部には、ユーザが選択した背景を表示する領域として第１選択背景領域６９１ａ、第２選択背景領域６９１ｂ、第３選択背景領域６９１ｃ、第４選択背景領域６９１ｄ、第５選択背景領域６９１ｅが設けられる。１枚目から５枚目までそれぞれ下部の背景候補表示欄６９２に表示される複数の背景候補からいずれかをユーザが選択するたびに、選択された背景画像が第１選択背景領域６９１ａ、第２選択背景領域６９１ｂ、第３選択背景領域６９１ｃ、第４選択背景領域６９１ｄ、第５選択背景領域６９１ｅへ順に表示される。第１選択背景領域６９１ａ、第２選択背景領域６９１ｂ、第３選択背景領域６９１ｃは、３枚のアップ撮影用に選択した背景画像（以下、「アップ用背景画像」と呼ぶ）を表示する領域である。第４選択背景領域６９１ｄ、第５選択背景領域６９１ｅは、２枚の全身撮影用に選択した背景画像（以下、「全身用背景画像」と呼ぶ）を表示する領域である。
【００８４】
図においては１枚目の第１選択背景領域６９１ａの画像枠が強調表示されており、現在１枚目の背景画像をこれから選択することを示しており、背景画像を１枚選択するごとに、画像枠の強調表示は第１選択背景領域６９１ａ、第２選択背景領域６９１ｂ、第３選択背景領域６９１ｃ、第４選択背景領域６９１ｄ、第５選択背景領域６９１ｅの順に移動する。いったん選択した背景画像のうちいずれかをキャンセルして他の背景画像を選択し直したい場合は、ユーザは選択し直したい選択背景領域の下方にある「キャンセル」ボタンをタッチすることで、選択された背景をキャンセルし、再び下部の背景候補表示欄６９２に表示される複数の背景候補からいずれかを選択し直すことができる。なお、「キャンセル」ボタンをタッチすると、その選択背景領域の画像枠が強調表示されるとともに選択背景領域から背景画像が消去され、「キャンセル」の文字列が「戻す」の文字列に切り替わる。ユーザが「戻す」ボタンをタッチすると、いったん「キャンセル」で消去した背景画像が選択背景領域に戻される。
【００８５】
背景候補表示欄６９２は、第１タブ６９３ａ、第２タブ６９３ｂ、第３タブ６９３ｃ、第４タブ６９３ｄの４つのタブのうちいずれを選択するかによって表示される内容が切り替わる。第１タブ６９３ａ、第２タブ６９３ｂ、第３タブ６９３ｃには、それぞれ「シンプル」「クール」「ラブリー」という３種類のテーマが表示される。図１４（ａ）に示す通り、初期的には第１タブ６９３ａが選択された状態で表示され、第１タブ６９３ａ、第２タブ６９３ｂ、第３タブ６９３ｃのいずれかを選択するたびにそれぞれのテーマに沿ったテイストを持つデザインの背景画像候補が背景候補表示欄６９２に複数表示されるように表示内容が切り替わる。ユーザは背景候補表示欄６９２に表示された複数の背景画像候補の中から１枚ずつ好みの背景画像を選択していく。一方、第４タブ６９３ｄには「セット」と表示される。図１４（ｂ）に示す通り、第４タブ６９３ｄを選択するときは５枚の背景画像をセットで選択するための背景画像セット候補が背景候補表示欄６９２に複数表示されるように表示内容が切り替わる。ユーザが好みの背景画像セット候補を選択すると、そのセットに含まれる５枚の背景画像が一括して選択される。
【００８６】
ユーザが「ノーマルコース」を選択しているときは、背景候補表示欄６９２における複数の背景画像候補を表示する領域の背景には所定の一色または模様を表示する。一方、ユーザが「プリンスコース」を選択しているときは、複数の背景画像候補を表示する領域の背景には「プリンスコース」用にデザインされた画像が表示される。背景画像候補を選択するときやキャンセルするときに「わかったよ」といった返答の言葉による選択キャラのナレーション音声が出力される。例えば、選択キャラの画像を表示する仕様としてもよいし、背景画像候補の選択時やキャンセル時のナレーション音声も選択キャラによって声や内容が異なる仕様としてもよい。なお、複数の背景画像候補の中には、あらかじめ選択キャラごとにそのキャラクタのお気に入りの画像が設定されており、ユーザがそのお気に入りの背景画像を選択した場合に、後に実行される好感度ゲームにおいて有利な結果となる仕様としてもよい。
【００８７】
「ＯＫ」と書かれた確定ボタン６９４は、５枚の背景画像を１枚ずつすべて選択した状態となったときに図１４（ａ）に示すように第５選択背景領域６９１ｅの右方に表示される。すなわち、選択した５枚の背景画像が第１選択背景領域６９１ａ、第２選択背景領域６９１ｂ、第３選択背景領域６９１ｃ、第４選択背景領域６９１ｄ、第５選択背景領域６９１ｅに表示されるまでは確定ボタン６９４は画面に表示されない。ユーザが確定ボタン６９４をタッチすると、それまでに選択した５枚の背景画像の選択が確定される。一方、第４タブ６９３ｄを選択して複数の背景画像セット候補からいずれかをユーザが選択するときは、選択したセットに含まれる５枚の背景画像を並べて表示するダイアログを表示し、そのダイアログにおいて「ＯＫ」ボタンをタッチするとそのままそれら５枚の背景画像の選択が確定する。この場合、選択した５枚の背景画像は、第１選択背景領域６９１ａ、第２選択背景領域６９１ｂ、第３選択背景領域６９１ｃ、第４選択背景領域６９１ｄ、第５選択背景領域６９１ｅに表示することを要しない。選択が確定した５枚の背景画像の種類は、データ記憶部１５０に記憶される。
【００８８】
図１５は、事前設定終了後から撮影開始までの間に事前設定部４０のタッチパネル４１に表示する自己紹介画面の画面例を模式的に示す図である。自己紹介画面７００には、選択キャラに設定された名前やプロフィールなどの情報とそのキャラクタの画像が表示される。このとき、「撮影コーナーを準備しているから、もう少し待ってね」といった、撮影の順番が回ってくるまで待機するよう王子のキャラクタがユーザにお願いをする内容の文章が表示されるが、すでに撮影空間１０があいていてすぐに撮影を開始できる状況の場合はこの文章を表示しない仕様としてもよい。
【００８９】
自己紹介画面７００の表示とともに、選択キャラが自己紹介をするナレーション音声が出力される。自己紹介画面７００の表示および自己紹介のナレーション音声の出力は、基本的には撮影までの時間、すなわち前の順番でプレイしている他のユーザがいればその撮影が終わって自分の順番が回ってくるまでの待機時間に行われるものである。その待機時間は混雑状況などにより長短様々であるため、待機終了とともに画面表示と音声出力を終了できるよう、自己紹介のナレーション音声としては長さの異なる複数種類を用意しておく。最初から撮影空間１０があいていてすぐに撮影を開始できる状況であれば必要最小限の自己紹介に留めた短いナレーション音声を選択し、撮影の順番まで待機する場合には長いナレーション音声を選択する。長いナレーション音声として複数の長さの音声を用意しておき、推測される待機時間の長さに応じてナレーション音声を選択する仕様でもよい。あるいは、長いナレーション音声を一つだけ用意してその音声の時間軸上に複数の終了可能ポイントをあらかじめ設定し、待機終了した直後の終了可能ポイントにてナレーション音声の出力を終了させる仕様としてもよい。なお、自己紹介画面７００において自己紹介の動画像を表示する仕様としてもよく、その場合はナレーション音声と同様に、待機時間の長さに応じたタイミングで動画像を終了できるように複数種類の動画像を用意するか、複数の終了可能ポイントを設定しておく仕様とする。
【００９０】
撮影の順番が回ってきた場合、撮影空間１０への移動を促す画面を表示するとともに、撮影空間１０へ案内するナレーション音声を出力する。例えば、撮影空間１０への入口の位置が事前設定部４０のタッチパネル４１に向かって右側の場合と左側の場合とがあるため、その位置関係に応じて撮影空間１０への移動方向がどちらであるかを画面およびナレーション音声で案内する。
【００９１】
図１６は、撮影時に正面モニタに表示される画面例を模式的に示す図である。撮影に先立ち、まず１回目の撮影のためにお手本となるポーズを写したお手本画像を画面中央に表示し、「プリンスコース」の場合は選択した王子のかけ声となるナレーション音声を出力する。お手本画像は、２人のモデルがお手本ポーズをとった画像であってもよいし、２人の王子のキャラクタがお手本ポーズをとった画像であってもよい。王子のナレーション音声としては、「こんなポーズをとってね」といった、お手本通りのポーズを促す内容を出力してもよい。数秒後、お手本画像がライブビュー映像に切り替えられ、撮影空間１０にいるユーザを被写体とするライブビュー映像がリアルタイムに表示される。そのすぐ後、ライブビュー映像を画面中央に残したまま図１６に示す撮影画面７１０に切り替わる。撮影画面７１０には、画面の左側に第１画像領域７１１ａ、第２画像領域７１１ｂ、第３画像領域７１１ｃ、第４画像領域７１１ｄ、第５画像領域７１１ｅが表示され、画面中央に画像表示領域７１２が表示される。「ノーマルコース」が選択されているときは、画面の背景（撮影画面７１０の画像領域７１１および画像表示領域７１２を除く領域）には所定の一色または模様が表示され、「プリンスコース」が選択されているときは図１６に示すように、選択キャラの画像が背景に表示され、そのキャラクタのナレーション音声が出力される。
【００９２】
撮影が一度も行われていない場合、すべての画像領域７１１に撮影のお手本画像が表示される。第１画像領域７１１ａには、１回目の撮影のお手本画像がサムネイル形式で表示される。第２画像領域７１１ｂ、第３画像領域７１１ｃ、第４画像領域７１１ｄ、第５画像領域７１１ｅには、それぞれ２〜５回目の撮影のお手本画像がサムネイル形式で表示される。１回目の撮影を行うに際して、まず第１画像領域７１１ａに表示されたお手本画像が、画像表示領域７１２に大きなサイズで表示される。画像表示領域７１２にお手本画像を表示してから数秒経つと、画像表示領域７１２にはお手本画像に代えてライブビューが表示される。このとき、ユーザがポーズをとった頃を見計らって「いい感じだね」といった、ユーザの行動を労う内容のナレーション音声を出力してもよい。こうしたナレーション音声は一人の王子のキャラクタに対して複数種類を用意しておき、その都度ランダムで選択して出力する。これにより、撮影のたびに新鮮な掛け合いのもとで撮影が進行される楽しみをユーザに付与することができる。１回目の撮影タイミングが近づくと、画面右上のカウントダウン表示領域７１３に、撮影タイミングまでのカウントダウンの数字が「３」「２」「１」のように順次表示され、「０」のタイミングで撮影がなされる。撮影された画像は、いったん画像表示領域７１２に表示され、その後、第１画像領域７１１ａに表示されていたお手本画像に替えて第１画像領域７１１ａにサムネイル形式で表示される。同じように、２回目から５回目の撮影を繰り返し、撮影のたびにお手本画像が撮影画像に切り替えられる。なお、画像表示領域７１２に、撮影された画像が表示されるタイミングで、「こんなふうに撮れたよ。かわいいね。」等のユーザのテンションを上げるようなナレーション音声を出力する。
【００９３】
なお、図１０のＳ１３７に示したボーナスショット撮影においても撮影画面７１０と同様の画面が表示されるが、通常の撮影と異なり、第１画像領域７１１ａ〜第５画像領域７１１ｅにおけるお手本画像および撮影画像の表示はなされず、画像表示領域７１２にお手本画像が表示された後、ライブビュー映像が表示され、画面右上のカウントダウン表示領域７１３に撮影タイミングまでのカウントダウンが表示される。このとき、直前に行われた撮影の画角によって画像表示領域７１２に表示されるライブビュー映像の画角も異なる。ボーナスショット撮影は撮影終了時間まで時間があまった場合におまけとして付与される撮影機会にすぎず、もともと十分な撮影時間が用意されているわけではない。したがって、撮影タイプをいちいち切り換えるほどの時間的な余裕はないことから、直前にアップ撮影が行われていた場合はボーナスショットもアップ撮影とし、直前に全身撮影が行われていた場合はボーナスショットも全身撮影とする。これにより、カメラ１１１の上下位置の移動や焦点距離の変更による画角調整の必要がなくして効率化を図っている。ボーナスショットの直前の撮影画角に応じて異なる画角の撮影が行われるので、アップ撮影と全身撮影によって、表示するお手本画像の種類を変更する。
【００９４】
撮影が終わった時点で、編集空間２０ａと編集空間２０ｂの双方とも前にプレイするユーザがいて編集などの処理が終了していない場合、いずれかの編集空間２０があくまで「落書きコーナー準備中  しばらく待ってね」といった待機を促す文章を画面に表示するとともに、「プリンスコース」の場合は選択した王子のナレーション音声でも待機を案内する。いずれかの編集空間２０があいた場合、あいた側の編集空間２０の方向を画面に表示するとともに、その方向についてナレーション音声でも案内し、編集空間２０への移動を促す。
【００９５】
図１７は、背景画像のテーマとお手本画像の対応関係を示すテーブルの図である。撮影時に図１６の画面に表示するお手本画像は、その内容または背景が、事前設定における図１４の背景選択画面６９０でユーザが選択した背景画像に対応する。ユーザは事前設定において５枚の背景画像を選択するが、４つの背景テーマのうちどのテーマの背景画像を最も多く選択したかに応じて、事前設定部４０がお手本画像の種類を決定することを原則とする。具体的には、図１７（ａ）に示すように、「シンプルタブから３枚以上」すなわちテーマ「シンプル」に含まれる背景画像候補から３枚以上選択していた場合は、「シンプルセット」というお手本画像のセットからランダムでお手本画像が選択される。同様に、「クールタブから３枚以上」すなわちテーマ「クール」に含まれる背景画像候補から３枚以上選択していた場合は、「クールセット」というお手本画像のセットからランダムでお手本画像が選択される。同様に、「ラブリータブから３枚以上」すなわちテーマ「ラブリー」に含まれる背景画像候補から３枚以上選択していた場合は、「ラブリーセット」というお手本画像のセットからランダムでお手本画像が選択される。一方、「セットタブ」を選択していた場合は、「セット」に対応づけられたお手本画像のセットからランダムでお手本画像が選択される。
【００９６】
図１７（ｂ）は各セットとお手本画像の対応関係を示す。「シンプルセット」には、アップ撮影用のお手本画像が９種類と全身撮影用のお手本画像が６種類が対応づけられる。３枚のアップ撮影と２枚の全身撮影を１セットと考えると、「シンプルセット」には３セット分のお手本画像が対応づけられていることになる。同様に、「クールセット」および「ラブリーセット」にも、それぞれアップ撮影用のお手本画像が９種類と全身撮影用のお手本画像が６種類が対応づけられる。３枚のアップ撮影と２枚の全身撮影を１セットと考えると、「クールセット」および「ラブリーセット」にも３セット分のお手本画像がそれぞれ対応づけられていることになる。
【００９７】
なお、図１７（ａ）に示す条件としては、いずれかのテーマから３枚以上の背景を選択していることがお手本画像のセットを決定する条件とされているが、同じテーマから３枚以上の背景が選択されていなくとも、あるテーマからの選択が最も多ければそのテーマに対応するお手本画像を選択することとしてもよい。例えば、「シンプル」から１枚、「クール」から２枚、「ラブリー」から２枚を選択していた場合、より選択が多い「クール」と「ラブリー」のどちらかをランダムで決定して、決定したテーマからお手本画像を選択することとしてもよい。
【００９８】
図１８は、名前入替画面を模式的に示す図である。落書きに先立ち、編集用モニタ２１３には名前入替画面７２０が表示される。名前入替画面７２０は、全体の領域が左右２つに分割され、左側の第１名前表示欄７２１ａには例えば「Ａさん」という名前が表示され、右側の第２名前表示欄７２１ｂには例えば「Ｂさん」という名前が表示される。これらの名前は事前設定においてユーザによって入力された名前であり、名前ごとに左右のどちらに表示するかは、ランダムに決定してもよいし、事前設定においてタッチパネル４１の左右どちらに入力されたかと同じ側に決定してもよい。名前入替画面７２０の前に立つ２人のユーザは、自分が立った側（左側または右側）に間違った名前が表示されていれば入替ボタン７２２をタッチする。入替ボタン７２２がタッチされると、左右の名前表示を入れ替え、第１名前表示欄７２１ａに「Ｂさん」、第２名前表示欄７２１ｂに「Ａさん」が表示される。自分が立った側（左側または右側）に自分の名前が正しく表示されていれば確定ボタン７２３をタッチして名前を確定する。以降、落書きの画面では、それぞれの名前が確定した側に表示される。
【００９９】
図１９は、編集用モニタ２１３に表示される編集画面の画面例を示す。本図の画面例は、ユーザが「プリンスコース」を選択した場合に表示される画面の例示である。編集画面は、左右一対の編集スペースに区分けされ、２人のユーザが同時並行して使用できるようになっている。左右それぞれの上隅には名前表示欄８３０が設けられる。例えば、左側の名前表示欄８３０には図１８における左側の第１名前表示欄７２１ａに表示されて確定された名前「Ａさん」が表示され、右側の名前表示欄８３０には図１８における右側の第２名前表示欄７２１ｂに表示されて確定された名前「Ｂさん」が表示される。ただし、事前設定でユーザの名前が入力されなかった場合には、名前表示欄８３０には名前を表示しない。編集用モニタ２１３の左側の編集スペースにおいては、左側のタッチペン２１４Ａによる入力受け付けが可能となっている。同様に、右側の編集スペースにおいては、右側のタッチペン２１４Ｂによる入力受け付けが可能となっている。各編集スペースの上部中央には、編集対象画像を表示し編集を行える矩形状の描画領域８１０が設けられている。各描画領域８１０の上方には、５枚の編集対象画像のサムネイル８１２が表示されており、ここから選択された１枚の編集対象画像が、描画領域８１０に表示される。ここでの５枚の編集対象画像は、３枚のアップ撮影画像および２枚の全身撮影画像に基づくものである。より具体的には、３枚のアップ撮影画像に、事前設定で選択された３種類のアップ用背景画像をそれぞれ合成した画像、および、２枚の全身撮影画像に、２種類の全身用背景画像を合成した画像に相当する。なお、ユーザが描画領域８１０でした編集は、対応するサムネイル８１２にも反映される。
【０１００】
図１９では、５枚の編集対象画像のサムネイル８１２のうちの一枚が、太枠の選択フレーム８１２’で囲まれて強調表示され、そのサムネイルに対応する編集対象画像が描画領域８１０に表示される。ユーザは、編集対象画像のサムネイル８１２のうち任意の一枚のサムネイルをタッチペン２１４Ａ，２１４Ｂを用いて選択することで、描画領域８１０に表示する編集対象画像を変更することができる。ユーザはまた、タッチペン２１４Ａ，２１４Ｂを用いて選択フレーム８１２’をドラッグ操作で移動することで、描画領域８１０に表示する編集対象画像を変更することもできる。この場合、移動後の選択フレーム８１２’が囲むサムネイル８１２に対応する編集対象画像が、描画領域８１０に表示される。
【０１０１】
編集画面の中央上部には、「エンド」ボタン８１４が配置されている。また、編集画面の中央部には、上から、消しゴムボタン８１６、「進む」ボタン８１８、及び「戻る」ボタン８２０が配置されている。「エンド」ボタン８１４は、編集を終了するためのボタンであり、この「エンド」ボタン８１４を押下すると、編集処理が自発的に終了し、出力処理に移行する。消しゴムボタン８１６は、４種類が配置されており、３種類の大きさの消しゴムボタンと、すべての落書を消すための「全消し」ボタンとが配置されている。例えば、いずれかの大きさの消しゴムボタンをタッチペン２１４Ａ，２１４Ｂで押下すると、その大きさの消しゴムが設定され、この状態で描画領域８１０をタッチペン２１４Ａ，２１４Ｂでなぞると、なぞった部分の落書が消去される。また、「全消し」ボタンを押下すると、描画領域８１０に表示中の編集対象画像に対してなされたすべての落書が消去される。
【０１０２】
「戻る」ボタン８２０は、直前に行った落書処理を取り消して元に戻すための、いわゆるｕｎｄｏボタンである。反対に、「進む」ボタン８１８は「戻る」ボタン８２０を押下する直前の落書処理を復活させるための、いわゆるｒｅｄｏボタンである。
【０１０３】
編集画面の中央上部における「エンド」ボタン８１４の下方には、カウントダウン用のタイマー８２２が設けられている。このタイマー８２２は、種々の設定ができるが、例えば、落書編集を行える基本制限時間（例えば３００秒）を予め設定しておき、落書編集が開始されると同時にカウントダウンを始め、タイマー８２２の表示がゼロになったときに落書編集を強制的に終了して出力処理に移行させるように構成することができる。あるいは、撮影部５０にユーザがいないとき、つまり、編集作業を待つ後続のユーザがいないときには、カウントダウンを行わず、制限なく編集作業を行えるようにしてもよいし、最大制限時間（例えば２０分）を設定しておき、最大制限時間まで編集作業を行えるようにしてもよい。但し、このような状態になったとき、もう一方の編集部５１に後続のユーザがいる状態で、新たなユーザによる撮影処理が開始された場合、撮影処理の開始に合わせて、予め設定された時間（例えば６０秒）からのカウントダウンを始めるようにすることが好ましい。タイマー８２２は、左右のユーザで共通であり、両ユーザの編集処理時間が１つのタイマー８２２で管理される。
【０１０４】
描画領域８１０の下方には、編集対象画像に対して編集を行う編集ツールを選択するためのパレット領域８２８が配置されている。パレット領域８２８は、複数の領域に分けられている。パレット領域８２８の上段には、複数のカテゴリーが表示されたカテゴリー選択領域８２４が配置され、カテゴリー選択領域８２４の下方には、編集ツール表示領域８２６が配置されている。図示する例では、カテゴリー選択領域８２４において、上位カテゴリとして「プリンスパレット」が選択され、さらに「プリンスパレット」の下位カテゴリとして「皇瑠架」という王子のキャラクタ名が選択されている。
【０１０５】
ユーザは、タイマー８２２の残り時間が０になる（またはユーザが自発的に終了する）まで、落書をする。そして、タイマーの残り時間が０になるか、あるいはユーザが「エンド」ボタン８１４をタッチして自発的に落書を終了させると、編集用モニタ２１３は「落書終了」というメッセージを表示する。そして、その時点において、編集画面で編集されている編集対象画像が編集済画像とされ、この編集済画像がデータ記憶部１５０に記憶され、編集処理が終了する。このように、ユーザが自発的に「エンド」ボタン８１４をタッチすることで、ユーザが編集対象画像に対して行った編集が確定する。この意味で、上述した描画領域８１０やサムネイル８１２は、編集のプレビューである。
【０１０６】
右側のユーザが右上に配置された５枚のサムネイル８１２のうち左から２番目のサムネイルをタッチペン２１４Ｂで選択すると、そのサムネイルが太枠の選択フレーム８１２’で囲まれて強調表示されて現在右側のユーザによって編集処理中であることが示される。そのサムネイルに対応するアップ撮影画像の編集対象画像が右側の描画領域８１０に表示される。このとき、左側の編集スペース上部に配置された５枚のサムネイル８１２のうち、右側のユーザで編集中である左から２番目のサムネイルに「右の人が拡大中だよ」といった文字列を表示して、現在右側のユーザによって編集処理中であることを示してもよい。左側のユーザが左上に配置された５枚のサムネイル８１２のうち左端のサムネイルをタッチペン２１４Ａで選択すると、そのサムネイルが太枠の選択フレーム８１２’で囲まれて強調表示されて現在左側のユーザによって編集処理中であることが示される。そのサムネイルに対応するアップ撮影画像の編集対象画像が左側の描画領域８１０に表示される。右側の編集スペース上部に配置された５枚のサムネイル８１２のうち、左側のユーザで編集中である左端のサムネイルに「左の人が拡大中だよ」といった文字列を表示して、現在左側のユーザによって編集処理中であることを示してもよい。
【０１０７】
描画領域８１０およびパレット領域８２８の外側には、好感度ゲーム領域８３２が配置されている。好感度ゲーム領域８３２には、選択キャラ画像８３１とともにハート型ゲージ８３３とメッセージ欄８３４が表示され、好感度ゲームにおけるゲーム状況を表示するために用いられる。ユーザが複数人であっても選択キャラは一人だけであり、左側の好感度ゲーム領域８３２に表示する選択キャラ画像８３１と右側の好感度ゲーム領域８３２に表示する選択キャラ画像８３１は同じ選択キャラである。ただし、変形例においては複数のユーザが別々のキャラクタを選択し、左右で異なる選択キャラを表示させて好感度ゲームを行う仕様としてもよい。この場合、名前表示欄８３０にはユーザの名前だけでなく、それぞれの選択キャラの名前を対応づけて併記してもよい。なお、好感度ゲームは左右で別々に進行させるため、スピーカ２１５を左画面用と右画面用に分けて設け、それぞれ別々の音声を出力するのが好ましい。さらに、左画面用のスピーカと右画面用のスピーカでそれぞれ出力に指向性をもたせ、左右それぞれのユーザに一方のスピーカ出力のみが聞こえやすいように構成してもよい。一方、スピーカの個数にかかわらず、左右で共通の好感度ゲームを進行させる仕様としてもよい。なお、好感度ゲーム領域８３２は、ユーザが「プリンスコース」を選択した場合にのみ表示される領域であり、「ノーマルコース」を選択した場合には、この好感度ゲーム領域８３２の代わりに別のデザインの画像が表示される。
【０１０８】
好感度ゲームは、編集中にユーザへ提供される一種のゲーム的要素のある機能である。例えば、各種の編集機能を用いた操作指令や操作課題のようなクリア条件（以下、「ミッション」とも呼ぶ）をユーザに与え、それに応えるように指令や課題にしたがってユーザが編集機能を利用してミッションの条件をクリアした場合に何らかの特典を付与するゲームである。ミッションは、メッセージ欄８３４に文章で表示したりナレーション音声を出力したりする形でユーザに与えられる。編集機能に絡めたチュートリアルのような形でミッションを提供することで、新しい編集機能やユーザに気付かれにくい機能、新しい種類の選択肢を紹介または注意喚起し、その機能の積極的な利用を促進することもできる。ユーザに与えた複数のミッションを一つ一つクリアしていくたびに、ハート型ゲージ８３３の目盛りが下から満たされていき、すべてのミッションをクリアしたときに目盛りがすべて満たされて全体がピンク色に点灯する。ハート型ゲージ８３３の目盛りは４段階あり、すべて満たすとミッションを１００％達成したことになり、ご褒美として特典画像をユーザに付与する。
【０１０９】
好感度ゲームは、左側の編集スペースと右側の編集スペースとで別個のゲームとして進行され、左右のユーザで別々にミッションの達成が判定される。よって、特典の画像もまた、左右のユーザで別々に付与され、一方のユーザのみが付与される場合もあれば双方のユーザとも付与される場合もあり、あるいは双方とも付与されない場合もある。ミッションをクリアした場合の特典として、通常時には表示されない編集機能やスタンプ画像などの新たな選択肢を表示し、ユーザが編集に使用できるようにしてもよい。
【０１１０】
ミッションの例としては、左側では「Ａさん（図１８にて左側の画面に対応づけられた名前）、お願いきいてくれる？」というナレーション音声を出力しながら、メッセージ欄８３４に「Ａさん、お願いきいてくれる？」というように選択キャラがユーザに話しかけるようなメッセージ文を表示する。また、右側では「Ｂさん（図１８にて右側の画面に対応づけられた名前）、お願いきいてくれる？」というナレーション音声を出力しながら、メッセージ欄８３４に「Ｂさん、お願いきいてくれる？」というように選択キャラがユーザに話しかけるようなメッセージ文を表示する。ただし、事前設定でユーザが名前を入力していない場合には、ナレーション音声やメッセージにユーザの名前は反映されない。メッセージ文の下には、オンオフボタン８２９を表示する。オンオフボタン８２９は、ミッションのクリア条件とは関係なく表示するボタンであり、当初は「ＯＮ」の部分が選択された状態でオンオフボタン８２９は表示され、ユーザがタッチすると「ＯＦＦ」の部分が選択され、メッセージ欄８３４を消去して好感度ゲームの進行を停止する。すなわち、ユーザは好感度ゲームを行わない場合にはオンオフボタン８２９をタッチして好感度ゲームを停止させることができる。オンオフボタン８２９は、すべてのミッションがクリアとなるまで表示され、その間であれば好感度ゲームのやるやらないをユーザは選択することができる。
【０１１１】
最初のミッションである第１ミッションは、右側のメッセージ欄８３４に示すように、「名前を教えて」のメッセージと名前入力ボタン８３９を表示して、ユーザの名前を入力させる操作指令である。この場合、第１ミッションを表示していることをユーザに注目させるための第１矢印９６０を名前入力ボタン８３９に向けて表示し、第１矢印９６０を点滅させたり上下または左右に動かしたりしながら表示することにより、ユーザに対してメッセージ欄８３４のメッセージ文と名前入力ボタン８３９に注目させる。ただし、事前設定でユーザが名前を入力済みであれば、落書きが開始されたタイミング、または、最初のミッションを表示開始したタイミングで直ちにミッションクリアと判定し、ハート型ゲージ８３３の目盛りを１段階上げる。名前を入力済みの場合、入力された名前を表示してそれを確認させることを第１ミッションとしてもよく、その場合は、名前の確認がとれたタイミングでミッションクリアとする。落書き開始とともにミッションクリアと判定する仕様では、メッセージ欄８３４にはメッセージや名前入力ボタン８３９、第１矢印９６０を最初から表示せずに第２ミッションから表示開始することとなる。ユーザが事前判定で名前を入力していない場合であって、ユーザが名前入力ボタン８３９をタッチすると、図１３の左半分または右半分の画面が表示され、そこにユーザが名前を入力して決定操作を行うと、第１ミッションをクリアと判定し、ハート型ゲージ８３３の目盛りを１段階上げる。左側の編集スペースにおけるハート型ゲージ８３３は、一番下の目盛りが上がって点灯している状態を例示する。ユーザが名前を入力することによって第１ミッションをクリアした場合、以降は名前表示欄８３０にその名前が表示されるとともに、選択キャラによるナレーション音声やメッセージにも名前で呼びかけるように反映される。
【０１１２】
第１ミッションをクリアすると、名前表示欄８３０の下に表示するメイクパレットボタン８２７に向けて第２矢印９６１を表示し、第２ミッションを表示開始する。第２ミッションのクリア条件は、メイクパレットボタン８２７をタッチしてメイクパレットの内容を確認する操作を内容とする。これに対し、ユーザがメイクパレットボタン８２７をタッチすると、メイクパレットを覆うカバーとして表示されていたメイクパレットボタン８２７が消えてメークパレットが現れる。メイクパレットは、例えば目の大きさの選択、輪郭の大きさの選択、頬の部分に合成するチーク画像の選択、唇の部分に合成するリップ画像の選択である。このようにユーザがメイクパレットボタン８２７をタッチすると第２ミッションをクリアと判定し、ハート型ゲージ８３３の目盛りを１段階上げる。なお、第１矢印９６０には「１」の文字が書かれ、第２矢印９６１には「２」の文字が書かれている。それぞれの矢印に書かれた数字がユーザがタッチする順序ないし何番目のミッションであるかを表す。ユーザがこの数字の順序と異なる順序でそれぞれが指示する機能をタッチしてもミッションのクリア条件は満たさない。また、第１矢印９６０、第２矢印９６１等の矢印が表示されていないタイミングでそれぞれが指示する機能をタッチしてもミッションのクリア条件は満たさない。このような操作の条件を設定して一定の難易度を保つことで、好感度ゲームのゲーム性を高めている。
【０１１３】
第２ミッションをクリアすると、パレット領域８２８のカテゴリタブの一つである「プリンスパレット」に向けて第３矢印９６２を表示し、第３ミッションを表示開始する。「プリンスパレット」のカテゴリタブは、「プリンスコース」を選択した場合にだけ選択できるカテゴリであることを示す。このカテゴリタブ内には、王子のキャラクタ名が３つ表示されるとともに、王子のキャラクタごとのツールのパレット、例えば複数種類のスタンプ画像が選択肢として提供されるパレットが表示される。第３ミッションおよび第４ミッションのクリア条件は、選択キャラのスタンプ画像を使用する操作を内容とする。ユーザが選択キャラのスタンプ画像を１回使用すると、第３ミッションをクリアと判定し、ハート型ゲージ８３３の目盛りを１段階上げ、第３矢印９６２を図示しない第４矢印に差し替え、第４ミッションを表示開始する。ユーザが選択キャラのスタンプ画像をもう１回使用すると、第４ミッションをクリアと判定し、ハート型ゲージ８３３の目盛りを１段階上げ、目盛りがいっぱいになる。
【０１１４】
ユーザは、自身が選択したキャラクタに対応するパレットだけでなく、それ以外のキャラクタに対応するパレットからもスタンプ画像を使用できる。選択する王子のキャラクタ名を切り替えると、表示されるスタンプ画像のパレットもその王子のキャラクタに対応するパレットに切り替わる。この場合、使用したスタンプ画像に対応するキャラクタの返事や反応のナレーション音声を出力する。例えば、選択キャラがＡ王子である場合に、Ｂ王子のパレットからスタンプ画像を使用した場合、Ｂ王子のナレーション音声を出力する。なお、「プリンスパレット」のカテゴリタブは、ユーザが「プリンスコース」を選択した場合にのみ表示されるタブおよび編集ツールであり、「ノーマルコース」を選択した場合には、このタブが表示されないか、そのタブに代わる別のタブおよび編集ツールが表示される。
【０１１５】
図２０は、ミッションとナレーション音声、キャラクタの表情、メッセージ、矢印との関係を模式的に示す表の図である。この表において、項目番号９４０には各項目の番号（１〜１７）が示される。番号の１から１３までは基本的にミッションにおける出現順序に沿っており、番号の１４から１７までは必ずしも出現順序には沿っておらず、随時出現し得る項目である。項目名９４１は、各項目に便宜上付けられた名前（「ラクガキスタート」「好感度ゲーム案内」など）を示す。以降、王子のキャラクタを「Ａ王子」「Ｂ王子」「Ｃ王子」の３種類とする例を説明する。Ａ王子音声９４２は、Ａ王子が選択された場合や、Ａ王子に関連する操作がなされた場合に出力するナレーション音声（「ラクガキスタート！」「使ってくれてありがとう」など）の内容を示す。Ａ王子表情９４３は、ミッション時に表示するＡ王子の表情の種類（「ノーマル」「笑顔」など）を示す。Ｂ王子音声９４４は、Ｂ王子が選択された場合や、Ｂ王子に関連する操作がなされた場合に出力するナレーション音声の内容を示す。Ｂ王子表情９４５は、ミッション時に表示するＢ王子の表情の種類を示す。Ｃ王子音声９４６は、Ｃ王子が選択された場合や、Ｃ王子に関連する操作がなされた場合に出力するナレーション音声の内容を示す。Ｃ王子表情９４７は、ミッション時に表示するＣ王子の表情の種類を示す。表情変化後動作９４８は、王子のキャラクタの表情を変化させた後の動作内容（「変化なし」「ノーマルに戻る」など）を示す。メッセージウインドウ９４９は、ミッションを進行させるためにユーザに話しかけるメッセージとしてメッセージ欄８３４に表示させる内容（「お願い聞いてくれる？」「うれしいな」など）を示す。３種類の王子のいずれが選ばれたかで、メッセージの内容を変えることもできる。矢印９５０は、ミッションで指定する編集機能のボタンなどへ矢印を表示するか否かを示す。出現条件９５１は、この項目を出現させる条件（「落書きのスタート画面表示」「ミッション１のクリア」など）を示す。矢印の制御９５２は、この項目の出現タイミングで矢印を制御する場合のその制御内容（「名前入力ボタンの位置を示す矢印１を表示」「矢印２を消去」など）を示す。
【０１１６】
次に項目番号１〜１３の各項目を時系列順に説明する。Ｃ王子が選択されたものとして説明を行う。項目番号１の項目は、出現条件として「落書きのスタート画面表示」のタイミングで「お願い聞いてくれる？」のメッセージを表示するとともに、Ｃ王子の声で「ラクガキスタート！」の音声を出力する。このときのＣ王子の表情は変化がなく「ノーマル」のままである。「落書き制限時間のカウントダウン開始」のタイミングで、項目番号２の項目である「好感度ゲームの案内」として「聞いてほしいことがあるんだけど、いい？」のＣ王子音声９４６を出力する。
【０１１７】
「好感度ゲーム案内の終了」のタイミングで、項目番号３の項目である「ミッション１の案内」として「名前、教えてくれる？」のＣ王子音声９４６を出力する。このときメッセージ欄８３４には「名前を教えて」というメッセージと名前入力ボタンを表示し、名前入力ボタンの位置を示す１つ目の矢印として第１矢印を表示する。このミッションに対し、ユーザが名前入力ボタンをタッチし、名前入力画面で名前を入力し、ＯＫボタンをタッチした場合に、項目番号４の項目である「ミッション１クリア」として「いい名前だね」のＣ王子音声９４６を出力し、メッセージ欄８３４にも「いい名前だね」のメッセージを表示し、王子の表情を「笑顔」に変化させ、その後、「ノーマル」に戻す。この場合、ユーザがＯＫボタンをタッチした段階で名前入力画面の消去とともに第１矢印も消去する。一方、ユーザが名前入力ボタンをタッチした後、名前入力画面で「入力しない」ボタンをタッチした場合は、項目番号５の項目が出現し、「・・・。後で教えてね」のＣ王子音声９４６を出力し、名前入力画面を閉じるが、第１矢印は表示したままにする。王子の表情は「残念」に変化させ、その後、「ノーマル」に戻す。以上のように第１ミッションが処理される。
【０１１８】
第１ミッションがクリアされると、項目番号６の項目である「ミッション２の案内」として「もっと完璧を目指すなら、盛れ感パレットを使うといいよ」のＣ王子音声９４６の出力とともに「お願い聞いてくれる？」のメッセージをメッセージ欄８３４に表示し、メイクパレットの位置を示す第２矢印を表示する。ユーザがメイクパレットをタッチすると、項目番号７の項目である「ミッション２クリア」として「やればできるんだね」のＣ王子音声９４６を出力するとともに「やればできるね」のメッセージをメッセージ欄８３４に表示し、王子の表情を「笑顔２」に変化させ、その後「ノーマル」に戻し、第２矢印を消去する。以上のように第２ミッションが処理される。
【０１１９】
第２ミッションがクリアされると、項目番号８の項目である「ミッション３の案内」として「ボクが監修したスタンプ。使ってみて。」のＣ王子音声９４６の出力とともに「お願い聞いてくれる？」のメッセージをメッセージ欄８３４に表示し、プリンスパレットタブの位置を示す第３矢印を表示する。ユーザが選択キャラのプリンススタンプを描画領域８１０に配置すると、項目番号９の項目である「ミッション３クリア」として「ありがとう」のＣ王子音声９４６を出力するとともに「ありがとう」のメッセージをメッセージ欄８３４に表示し、王子の表情を「笑顔３」に変化させ、その後「ノーマル」に戻し、第３矢印を消去する。以上のように第３ミッションが処理される。
【０１２０】
第３ミッションがクリアされると、項目番号１０の項目である「ミッション４の案内」として「気に入ったの？・・・うれしい」のＣ王子音声９４６の出力とともに「お願い聞いてくれる？」のメッセージをメッセージ欄８３４に表示し、プリンスパレットタブの位置を示す第４矢印を表示する。ユーザが選択キャラのプリンススタンプを再び描画領域８１０に配置すると、項目番号１１の項目である「ミッション４クリア」として「こんな気持ちになるのは、アナタのせいなの？」のＣ王子音声９４６を出力するとともに「うれしいな」のメッセージをメッセージ欄８３４に表示し、王子の表情を「笑顔４」に変化させ、第４矢印を消去する。以上のように第４ミッションが処理される。
【０１２１】
第４ミッションがクリアされると、項目番号１２の項目である「ご褒美プリボタン出現」として「ありがとう。完璧なプリを作り出せたと思う。・・・ボクのプリも見ていいよ。」のＣ王子音声９４６の出力とともに「僕たちのプリも見る？」のメッセージと「見る」ボタンをメッセージ欄８３４に表示し、王子の表情を「照れ」に変化させる。ユーザが「見る」ボタンをタッチすると、項目番号１３の項目である「ご褒美プリ表示」としてＣ王子音声９４６の特典音声を出力するとともに「閉じる」ボタンをメッセージ欄８３４に表示する。
【０１２２】
一方、落書き開始以降６０秒間、ユーザが名前入力ボタンをタッチしない、または、好感度ゲームＯＦＦボタンを選択した場合、項目番号１４の項目として「ねえボクのこと放っておいていいの？」のＣ王子音声９４６の出力とともに「さみしいな」のメッセージをメッセージ欄８３４に表示し、王子の表情を「悲しい」に変化させ、その後「ノーマル」に戻す。また、ユーザが第１矢印から第４矢印のいずれかをタッチした場合、項目番号１５の項目として「ボタンをタッチしてね」のＣ王子音声９４６を出力する。また、選択キャラ以外の王子のプリンススタンプを５回連続使用した場合、項目番号１６の項目として「随分仲がいいんだね」のＣ王子音声９４６の出力とともに「仲いいの？」のメッセージをメッセージ欄８３４に表示し、王子の表情を「悲しい」に変化させ、その後、変化前の表情に戻す。また、好感度ゲーム領域８３２のキャラクタ画像部分（ハート型ゲージ８３３を含む）を５回連続タッチした場合、項目番号１７の項目として「なに？」のＣ王子音声９４６の出力とともに「ん？」のメッセージをメッセージ欄８３４に表示し、王子の表情を「照れ２」に変化させ、その後、変化前の表情に戻す。以上のように４段階のミッションの提示から特典の付与まで各種の音声を出力し、メッセージやボタン、矢印を表示する。
【０１２３】
図２１は、特典画像を付与するときの編集画面の画面例を示す。左側の編集スペースに例示するように、ミッションを１００％達成してハート型ゲージ８３３の目盛りがすべて満たされた画像が表示されたとき、メッセージ欄８３４には「僕のプリ、見る？」といったメッセージ文と「見る」と書かれたボタンが表示され、同じメッセージ文のナレーション音声が出力される。ユーザが「見る」のボタンをタッチすると、右側の編集スペースに例示するように、ご褒美として特典画像８３５が表示される。特典画像８３５は、描画領域８１０を覆い隠すような位置に表示されるとともに、描画領域８１０やサムネイル８１２、カテゴリー選択領域８２４、編集ツール表示領域８２６などを含む右側の編集スペースのうち好感度ゲーム領域８３２を除いた領域をグレイアウトさせてその領域の操作を受け付けない状態に切り替えて特典画像８３５が目立つように表示する。特典画像８３５の右上には特典画像８３５を閉じる、すなわち特典画像８３５の表示終了を指示するための閉ボタン８３６を表示し、メッセージ欄８３４には特典画像８３５の表示終了を指示するための閉ボタン８３７を表示し、これら閉ボタン８３６および閉ボタン８３７のタッチのみを受け付ける。ユーザが閉ボタン８３６または閉ボタン８３７をタッチすると特典画像８３５を閉じて、右側の編集スペース全体をグレイアウトの状態から元の明示状態に戻す、または、グレイアウトのままにして右側のユーザが編集終了状態であることを示す。
【０１２４】
特典画像８３５は、複数の王子のキャラクタが１人または２人で写った画像であり、その組合せや並び順が異なる複数種類の画像が用意され、ミッションを１００％達成するたびにランダムで付与される。好感度ゲームは左右のユーザで別々に実行されるため、左右のユーザで別々の特典画像がランダムで付与され得る。
【０１２５】
図２２は、特典画像の種類を模式的に示す図である。ここでは王子のキャラクタを「Ａ王子」「Ｂ王子」「Ｃ王子」の３種類と仮定して説明する。特典画像８３５は、Ａ〜Ｃの３人のうち１人または２人が写った画像であり、種類ごとに写っている王子の組合せが異なる。また、特典画像８３５としては、選択キャラが含まれる画像のみがランダムで選択されて付与される。例えば、選択キャラがＡ王子のときにミッションを１００％クリアした場合、左からＡ王子、Ｂ王子の順に並んだ画像（図では「ＡＢ」と表記）、左からＢ王子、Ａ王子の順に並んだ画像（図では「ＢＡ」と表記）、左からＡ王子、Ｃ王子の順に並んだ画像（図では「ＡＣ」と表記）、左からＣ王子、Ａ王子の順に並んだ画像（図では「ＣＡ」と表記）、Ａが一人で写る画像（図では「Ａのみ」と表記）の５種類からいずれかがランダムで選択される。この場合、「Ａのみ」の画像に希少性を与えるために、「Ａのみ」の画像の選択確率を、「ＡＢ」「ＢＡ」「ＡＣ」「ＣＡ」の選択確率より相対的に低くなるように設定する。これら５種類の特典画像８３５を付与するときは、画像内に選択キャラである「Ａ王子」以外の王子が写っていたとしても、特典音声として「Ａ王子」の声でその写真について語るナレーション音声を出力する。ここで、特典音声としてその付与時に再生する音声は、実際に付与される特典音声の一部分のみとする仕様でもよい。図２１に示すように、特典画像および特典音声を付与する間はユーザは落書きができないため、特典音声の再生時間が長いと、その分、落書きができる時間が短くなるためである。また、特典音声の一部分のみ再生し、その続きは画像取得サイトにアクセスして再生できるためである。特に、特典音声を全部聞きたいと考えるユーザに対しては画像取得サイトへアクセスする契機ともなる。
【０１２６】
選択キャラがＢ王子のときも同様に、Ｂが写る画像だけを特典の対象とし、「ＡＢ」「ＢＡ」「ＢＣ」「ＣＢ」「Ｂのみ」の５種類からいずれかがランダムで選択される。これら５種類の特典画像８３５を付与するときも、画像内に選択キャラである「Ｂ王子」以外の王子が写っていたとしても、特典音声として「Ｂ王子」の声でその写真について語るナレーション音声を出力する。選択キャラがＣ王子のときも同様に、Ｃが写る画像だけを特典の対象とし、「ＡＣ」「ＣＡ」「ＢＣ」「ＣＢ」「Ｃのみ」の５種類からいずれかがランダムで選択される。これら５種類の特典画像８３５を付与するときも、画像内に選択キャラである「Ｃ王子」以外の王子が写っていたとしても、特典音声として「Ｃ王子」の声でその写真について語るナレーション音声を出力する。このように、２人の王子が写る特典画像には２人分の特典音声が対応づけられ、１人の王子だけが写る特典画像には１人分の特典音声が対応づけられる。そのような対応関係にて、特典画像と特典音声がデータ記憶部１５０にあらかじめ記憶される他、同じデータが管理サーバ３００にもあらかじめ保持されている。また、特典音声としてユーザの名前を読み上げる内容の音声を用いる場合、遊戯用撮影装置１００と管理サーバ３００の両方においてユーザの名前を読み上げる音声が生成される。管理サーバ３００においては、２人の王子が写った特典画像に対しては２人分のナレーション音声が対応づけられて記憶され、そのうちユーザの選択キャラに対応するナレーション音声が再生されることとなる。
【０１２７】
図２３は、シール紙に印刷される印刷用画像を選択するための選択画面の例を示す。選択画面の上部にはタブ９１０（第１タブ９１０ａ、第２タブ９１０ｂ、第３タブ９１０ｃ、第４タブ９１０ｄの４種類）が表示され、このタブ９１０の選択に応じて図２３（ａ）〜（ｄ）のいずれかが表示される。第１タブ９１０ａと第２タブ９１０ｂの場合は、選択画面が左右一対の領域に区分けされ、２人のユーザが同時並行して印刷用画像を選択できるようになっている。各領域の下方には、印刷用画像表示領域９１２が配置されている。印刷用画像表示領域９１２には、タブごとに、複数の印刷用画像が表示される。複数の印刷用画像はそれぞれ、シートデザイン画像上に、補正および編集により生成された複数の編集済画像（落書き済みの撮影画像）を配置したものである。シートデザイン画像に応じて、編集がされていない撮影画像を配置することもできる。例えば、アップ撮影画像は落書き済みのものを用い、全身撮影画像は落書き前の撮影画像を用いる、というように編集前と編集後の撮影画像を混在させてもよい。同じタブ９１０内の複数の印刷用画像は、互いに編集済画像のレイアウトが異なる。編集済画像のレイアウトとしては、２人で分け合いやすいものから大人数で分け合いやすいものまで種々のデザインが用意されている。また、同じタブ９１０内の複数の印刷用画像におけるシートデザイン画像は、互いにデザインは異なる。ユーザがいずれかのタブ９１０を選択するとともに、選択中のタブ９１０の印刷用画像表示領域９１２に表示された複数の印刷用画像のうちいずれかの印刷用画像を選択すると、選択した印刷用画像を実寸大に拡大した画像がプレビュー領域９１４に表示される。「ＯＫ」ボタン９１６をタッチすると、プレビュー領域９１４に表示されている印刷用画像が、印刷されるものとして確定する。
【０１２８】
ここで、「プリンスコース」を選択している場合に限り、第１タブ９１０ａの印刷用画像表示領域９１２において、左下の画像枠が第１特定枠９１７ａとなり、「ノーマルコース」では表示されない、「プリンスコース」専用のシートデザインの印刷レイアウトが表示される。そのシートデザインには、選択キャラの画像が背景として含まれる。また、第１特定枠９１７ａの右隣（第１タブ９１０ａの印刷用画像表示領域９１２において中央下）の画像枠が第２特定枠９１７ｂとなり得る。ただし、第２特定枠９１７ｂが出現するのは、好感度ゲームにおいてミッションを１００％クリアしたユーザの側に限る。図の例では、左側のユーザがミッションを１００％クリアしたため第２特定枠９１７ｂが表示されているのに対し、右側のユーザはミッションをクリアしなかったため第２特定枠９１７ｂが表示されていない状態を例示する。第２特定枠９１７ｂには、第１特定枠９１７ａと同様に「ノーマルコース」では表示されない、「プリンスコース」専用のシートデザインの印刷レイアウトが表示されるとともに、その印刷レイアウトの中に特典画像８３５が配置されている。
【０１２９】
図２４は、印刷用画像の例を模式的に示す。図２４（ａ）は印刷レイアウトとして第１画像８５１ａ、第２画像８５１ｂ、第３画像８５１ｃ、第４画像８５１ｄ、第５画像８５１ｅの５枚の画像と右下に「Ｌｏｇｏ」と書かれたロゴ領域８５２を含む。この「Ｌｏｇｏ」の領域は遊戯用撮影装置１００の機種名などのロゴが表示される。図２４（ａ）の印刷レイアウトは、「ノーマルコース」を選択している場合か、「プリンスコース」を選択しているものの好感度ゲームのミッションを１００％クリアできなかったユーザに用いられる。
【０１３０】
図２４（ｂ）は印刷レイアウトとして第１画像８５１ａ、第２画像８５１ｂ、第３画像８５１ｃ、第４画像８５１ｄ、第５画像８５１ｅの５枚の画像と右下に特典画像領域８５３が含まれる。特典画像領域８５３には特典画像８３５が表示される。図２４（ｂ）の印刷レイアウトは、「プリンスコース」を選択し、好感度ゲームのミッションを１００％クリアできたユーザに用いられる。
【０１３１】
図２５は、送信用の画像を選択する画面の画面例を模式的に示す。送信画像選択画面８６０には、５枚の画像（第１画像８６１ａ、第２画像８６１ｂ、第３画像８６１ｃ、第４画像８６１ｄ、第５画像８６１ｅ）が配置されるとともに、右下に特典画像８６２が配置される。ユーザは、自分の携帯端末などに送信して保存できる画像を第１画像８６１ａ、第２画像８６１ｂ、第３画像８６１ｃ、第４画像８６１ｄ、第５画像８６１ｅから１枚選択することができる。一方、特典画像８６２は選択するまでもなく必ずユーザに送られる画像であるため、この送信画像選択画面８６０においてユーザが選択する対象には含まれない。いずれかの画像を選択した状態で決定ボタン８６３をタッチすると、送信する画像の選択が確定する。
【０１３２】
図２６は、編集用モニタ２１３に表示される、ユーザのメールアドレス入力時の画面例を模式的に示す図である。図２６（ａ）のメールアドレス入力画面８７０は、左入力領域８７１と右入力領域８７２から構成され、画面に向かって左側に立つユーザは左入力領域８７１に表示されたボタンをタッチして自分のメールアドレスを入力する。画面に向かって右側に立つユーザは右入力領域８７２に表示されたボタンをタッチして自分のメールアドレスを入力する。この画面は、２人までのユーザが同時にメールアドレスを入力でき、もし３人以上のユーザがいる場合は残り時間が余っている場合に限りメールアドレス入力画面８７０を繰り返し表示してメールアドレスを入力させる。メールアドレス入力画面８７０で入力されたメールアドレスと編集済画像などをプレイ情報として管理サーバ３００に送信する。ここで入力したメールアドレス宛に、コンテンツアクセス情報が記載された通知メールが後に送信される。
【０１３３】
ここで、メールアドレス入力画面８７０にアルファベットなどのキーを表示する場合、キーの数が多いため一つ一つのキーが小さくなり、ユーザがキーをタッチペンでタッチするときにキーに書かれた文字表記がタッチペンに隠れて見えなくなる。文字表記が見えないと、タッチペンでタッチする瞬間にどのキーをタッチしているのかがユーザから分かりにくくなり、誤入力の原因となり得る。そこで、図２６（ｂ）のようにタッチペンでキー８８０ａをタッチする瞬間にそのキーの上部など、キー８８０ａの外側となる位置などのキー８８０ａ付近に拡張表示８８１ａを表示する。拡張表示８８１ａにはそのキーによって入力される文字が表記されるため、キー８８０ａそのものがタッチペンの先で隠れても、ユーザは拡張表示８８１ａを見ることによって現在どの文字のキーにタッチしているかを簡単に把握でき、仮に誤入力していてもすぐに気がつきやすくなる。また、拡張表示８８１ａの文字表記を見てその誤入力に気がついた場合、タッチペンをキー８８０ａから離さなければその文字は入力されないため、タッチペンを画面から離さずタッチしたまま隣接する正しいキー、例えばキー８８０ｂまでタッチペンを移動し、正しいキー８８０ｂの上でタッチペンを画面から離したときにその文字が入力される。このとき、タッチペンがキー８８０ａの上から離れると、拡張表示８８１ａを消去する。なお、タッチペンを画面から離さずタッチしたままの状態で、別のキー８８０ｂの上にペン先が配置された場合、ペン先が配置されているキー８８０ｂの付近にキー８８０ｂに対応する拡張表示８８１ｂが表示される。
【０１３４】
図２７は、印刷済シール紙および通知メールの内容を模式的に示す。図２７（ａ）に示す通り、印刷済シール紙９２０には第１画像８５１ａ〜第５画像８５１ｅとともに特典画像が印刷されている。印刷済シール紙９２０の端部には、画像取得サイトのトップページのＵＲＬがサイトＵＲＬ９２１として記載されるとともに、画像ＩＤ９２２が記載されている。ユーザはこのサイトＵＲＬ９２１に基づいて画像取得サイトのトップページにアクセスし、画像ＩＤ９２２を入力すれば、自分の撮影画像をダウンロードすることができる。これにより、図２４のメールアドレス入力画面８７０で自分のメールアドレスを入力しなかったとしても、画像取得サイトから自分の撮影画像をダウンロードできる。
【０１３５】
印刷済シール紙９２０には、サイトＵＲＬ９２１、画像ＩＤ９２２以外にも、撮影日時の情報や撮影した店舗名、機種名、撮影コース名などをさらに記載してもよい。画像取得サイトのＵＲＬの代わりに、いわゆる空メールの送信先であるメールアドレスを印刷済シール紙９２０に記載してもよい。その場合、ユーザはそのメールアドレス宛に件名や本文を空白のまま電子メールを送信すると、自分のメールアドレス宛に、画像取得サイトのリンクＵＲＬが記載された通知メールが送信される。ただし、この場合の通知メールに記載されたＵＲＬは、図２７（ｂ）の通知メール９３０とは異なり、画像ＩＤがそのＵＲＬに含められていないので、画像ＩＤを画像取得サイトで手入力する必要がある。
【０１３６】
図２７（ｂ）は通知メール９３０の内容を示す。メール本文にはコンテンツアクセス情報９３１が記載されており、そのＵＲＬのパラメータとして、画像ＩＤ９３２と符号化されたメールアドレス９３３が含まれている。この通知メール９３０を受け取ったユーザは、コンテンツアクセス情報９３１のリンク部分をクリックするだけで画像取得サイトの自分の撮影画像のページへアクセスすることができる。ここで、通知メール９３０の内容は、プリンスコースを選択している場合は自分の選択キャラから送られてきたような内容となっている。例えば、送信者には選択キャラの名前が書かれており、文面も選択キャラがユーザに話しかけるような口調の文章となっている。この内容は、管理サーバ３００に送信されたプレイ情報に含まれるユーザの名前、選択キャラの種類、ゲーム結果情報などの情報に基づいて生成される。
【０１３７】
図２８は、遊戯用撮影装置１００、管理サーバ３００、端末装置５００の間における処理過程を示すフローチャートである。まず、遊戯用撮影装置１００において撮影から印刷までの処理が実行され（Ｓ２００）、印刷処理がなされている間にユーザに入力させたメールアドレスを遊戯用撮影装置１００が取得し（Ｓ２０２）、画像ＩＤやメールアドレス、名前、特典ＩＤなどの情報を含む付随情報と撮影画像群を対応づけたプレイ情報を生成して管理サーバ３００へ送信する（Ｓ２０４）。印刷が終わればシール紙を排出する（Ｓ２０６）。
【０１３８】
管理サーバ３００は、Ｓ２０４において遊戯用撮影装置１００から送信されたプレイ情報を受信し（Ｓ２０８）、そのプレイ情報に含まれる撮影画像群を一時画像記憶部３１３に格納し、プレイ情報に含まれる画像ＩＤやメールアドレスなどの付随情報との対応関係を設定する（Ｓ２１０）。管理サーバ３００は、撮影画像群の格納位置や画像ＩＤ、メールアドレスなどの情報に基づいてコンテンツアクセス情報を生成し、生成したコンテンツアクセス情報を記載した通知メールを生成して、受信したプレイ情報に含まれるメールアドレス宛に送信する（Ｓ２１２）。管理サーバ３００は、受信したプレイ情報に含まれるメールアドレスが会員情報として登録されているかを照合し、一致するメールアドレスの会員情報を特定できた場合は（Ｓ２１６のＹ）、その会員情報に、プレイ情報においてそのメールアドレスに紐付けられている特典ＩＤを対応づけて登録し（Ｓ２１８）、会員情報を特定できなかった場合はＳ２１８をスキップする（Ｓ２１６のＮ）。
【０１３９】
通知メールの宛先となったユーザの端末装置５００が通知メールを受信し（Ｓ２１４）、通知メールに記載されたコンテンツアクセス情報に基づいて端末装置５００が管理サーバ３００の画像取得サイトにアクセスし、ログイン情報（メールアドレスおよびパスワード）に基づくログイン要求および画像ＩＤに基づく撮影画像群のページ表示要求を送信した場合（Ｓ２２０）、管理サーバ３００はログイン情報および画像ＩＤに基づいてログインおよびページ表示の許否を判定する（Ｓ２２２）。ここで、Ｓ２２０において携帯端末５００から送信されたログイン情報からユーザの会員情報を特定し（Ｓ２２３）、Ｓ２２０において端末装置５００から送信された画像ＩＤと同じ画像ＩＤに対応付けられている特典ＩＤを一時画像記憶部３１３から検索する（Ｓ２２４）。特定した会員情報にその特典ＩＤの登録がなかった場合（Ｓ２２４のＹ）、その特典ＩＤを、特定した会員情報に対応付けて会員情報記憶部３１１に登録する（Ｓ２２５）。特典ＩＤの登録がすでにあった場合、すなわちＳ２１６等においてすでにその特典ＩＤが会員情報に登録されていた場合はＳ２２５をスキップする（Ｓ２２４のＮ）。Ｓ２２２のアクセス許否の判定結果に基づき、アクセスが許可されるユーザに対しては表示要求のあった画像ＩＤに対応する撮影画像群やその画像ＩＤに紐付けられた特典ＩＤに対応する特典画像や特典音声を含むページを生成して端末装置５００へ送信する（Ｓ２２６）。アクセスが許可されないユーザに対しては、許可されない旨の内容のページを生成して端末装置５００へ送信する（Ｓ２２６）。端末装置５００は、Ｓ２２６において送信されたページを画面に表示する（Ｓ２２７）。なお、Ｓ２２４およびＳ２２５の処理順序は、便宜上、Ｓ２２６の前としているが、Ｓ２２６の後に実行することとしてもよい。同様に、Ｓ２１６およびＳ２１８の処理順序も、Ｓ２１２の後としているが、Ｓ２１２の前に実行することとしてもよい。以上のように、Ｓ２１６およびＳ２１８によれば、遊戯用撮影装置１００で入力するメールアドレスと会員登録に使用するメールアドレスが同一であれば、好感度ゲームで特典が付与されるたびに自動的にそのユーザの会員情報に特典ＩＤが登録される。また、Ｓ２２４およびＳ２２５によれば、遊戯用撮影装置１００で入力するメールアドレスと会員登録に使用するメールアドレスとが異なる、あるいは別のメールアドレスで使い分けているユーザについても、管理サーバ３００の画像取得サイトにログインして画像ＩＤを送信するたびにそのユーザの会員情報に特典ＩＤが登録される。こうして所定のユーザ（会員）の会員情報に当該ユーザが獲得した特典ＩＤがコレクションとして蓄積されて増えていき、特典として用意された全種類の中で、ユーザがアクセスして表示したり再生したりできる種類も増やしていくことができるようになる。
【０１４０】
図２９は、画像取得サイトの画面例を模式的に示す。図２７（ｂ）の通知メール９３０に記載されたＵＲＬに基づく画像取得サイトへアクセスすると、そのＵＲＬに含まれるメールアドレスが会員登録済みのメールアドレスかどうかが判定され、会員登録済みであってすでにログイン済みであれば画像一覧ページ８９０のページが表示される。会員登録済みであってログイン済みでない場合は、ログインページ９０２が開き、メールアドレスとパスワードを入力してログインすると画像一覧ページ８９０のページが表示される。会員登録済みでない場合は新規会員登録をしてからログインすると、画像一覧ページ８９０のページへ移動する。なお、ログインページ９０２には、下方にユーザの画像のサムネイルを表示してログインまたは新規登録のメリットを見せることで、未登録ユーザの新規会員登録を促してもよい。
【０１４１】
画像一覧ページ８９０には、ユーザが特典を獲得していれば（ユーザの会員情報に特典ＩＤが登録されていれば）そのユーザに付与された特典画像８９１（特典記憶部３１５に記憶されている当該特典ＩＤに対応する特典画像）が含まれる。ユーザが特典画像８９１をタッチして選択すると、拡大表示画面８９４に切り替わる。拡大表示画面８９４においては、画像一覧ページ８９０でユーザが選択した特典画像８９１が拡大特典画像８９３として拡大して表示され、その下にはボイスボタン８９５が表示され、ユーザがボイスボタン８９５をタッチすると、選択キャラのナレーション音声（特典ＩＤに対応するナレーション音声）が出力される。このナレーション音声は、好感度ゲームにおいてユーザに特典が付与されたときに再生されたナレーション音声と同じ音声である。これにより、ユーザはナレーション音声を聞いて、好感度ゲームにおいて選択キャラからご褒美を受け取った場面のことを鮮明に思い出すことができる。また例えば、好感度ゲームで特典付与の際、ユーザの名前を含んだ内容のナレーション音声を再生していた場合には、管理サーバ３００においてもプレイ情報に含まれるユーザの名前に基づいて同じナレーション音声を生成して、特典付与の場面を再現する。また例えば、プレイ情報に含まれる撮影日時の情報が今日を示していれば「今日はありがとう」という音声を出力し、撮影日時が昨日を示していれば「昨日はありがとう」という音声を出力するなど、時間情報に基づいて異なる音声を選択してもよい。例えば、ナレーション音声の言語は、プレイ情報に含まれる位置情報に基づいて、撮影した地方の方言で話すナレーション音声を選択してもよい。
【０１４２】
この状態でユーザが拡大特典画像８９３をタッチして長押しすると、自分の端末装置５００内に拡大特典画像８９３を保存できる。ユーザが後退ボタン８９７をタッチすると、拡大特典画像８９３として拡大表示される画像が、画像一覧ページ８９０における一つ前の画像に切り替わる。ユーザが進行ボタン８９８をタッチすると、拡大特典画像８９３として拡大表示される画像が、画像一覧ページ８９０における一つ後の画像に切り替わる。拡大表示する画像が特典画像から他の画像、すなわちユーザ自身を撮影した画像に切り替わったときは、特典の音声は対応しないためボイスボタン８９５は非表示となり、代わりに「落書き有無」ボタン（図示せず）が表示される。ユーザが「落書き有無」ボタンをタッチすると、落書き前の写真と落書き後の写真で切り替えることができる。ユーザが「プリンスルーム」と書かれたページ移動ボタン８９６をタッチすると、特典保管ページ画面９００に切り替わる。
【０１４３】
特典保管ページ画面９００は、ユーザが獲得した特典画像を保管するページであり、獲得済みの特典画像が王子のキャラクタごとに分類されて保管される。図の例では「Ａ王子」のタブを選択した状態で「Ａ王子」の特典画像のうちすでに獲得済みのものが特典表示枠９０１に表示されるとともに、「Ａ王子」の特典画像として用意されているものの未獲得のものに関しては「？」のマークとともに画像枠のみを表示して特典画像は表示されない。未獲得を示す「？」マークは、ユーザがあらたに特典を獲得してコレクションを増やすことで減っていくこととなる。画像枠の近くには音声再生ボタンが表示され、特典画像に対応づけられた音声をストリーミング再生できる。このナレーション音声もまた、好感度ゲームでの特典付与の場面で再生されたナレーション音声と同じ音声であり、ユーザはナレーション音声を聞いて、選択キャラからご褒美を受け取った場面を鮮明に思い出すことができる。またユーザの名前を含んだ内容のナレーション音声をプレイ情報に含まれるユーザの名前に基づいて生成してもよい。また例えば、未獲得の特典画像に対応づけられる音声としては、次にプレイするときに好感度ゲームで達成条件を満たせばこの特典画像を獲得できることをユーザに知らせて特典の獲得を促す内容のナレーション音声であってもよい。このように、未獲得の特典画像の存在とその種類数をユーザに把握させることができ、ユーザの収集意欲を刺激することができる。また、特典保管ページ画面９００では王子のキャラクタの種類数もユーザに把握させることができるだけでなく、後日、発表を予定している未発表のキャラクタの存在もユーザに把握させることができ、公開済みのキャラクタの特典画像の多くを収集済みであっても、新たな種類の追加により飽きさせないようにすることができる。また、特典画像の全種類数に対してユーザが獲得した特典画像の割合、すなわちいわゆるコンプリート率を特典保管ページ画面９００に表示し、全種類の特典画像を収集するというゲームの達成率をユーザに把握させ、飽きさせないようにすることができる。以上、「Ａ王子」を例にして説明したが、他の王子のキャラクタ「Ｂ王子」や「Ｃ王子」について特典画像を見たり、対応するナレーション音声を再生したりする場合も、ユーザはＡ王子の例と同様の操作をすればよい。
【０１４４】
図３０は、画像取得サイトのトップページから特典保管ページに移動する場合の画面例を模式的に示す。通知メールを受け取っていないユーザや、画像取得サイトのＵＲＬをブラウザにブックマーク登録しているなどトップページからアクセスしたいユーザは、本図のような過程で特典画像にアクセスすることができる。まず、ユーザが端末装置５００で画像取得サイトのトップページＵＲＬへアクセスすると、画像ＩＤの入力欄が表示されるとともに、ログイン済みでなければ本図のように新規会員登録のボタンとログインボタンが表示される。有料会員または無料会員の会員登録済みのユーザであれば、自分のメールアドレスとパスワードを入力してログインし、会員登録済みでないユーザは新規会員登録をすることでログインし、機種専用ページへのリンクをクリックすると機種専用ページ９０３へ移動する。また、ログインページ９０２において画像ＩＤを入力すると、図２９の画像一覧ページ８９０へ移動する。もしログインしない状態で画像ＩＤを入力すると、新規会員登録またはログインが促される。
【０１４５】
機種専用ページ９０３のメニュー内にある「ルーム」と書かれたプリンスルーム（特典保管ページ）へのリンクボタン９０４をタッチすると特典保管ページが開く。特典保管ページ画面９００は、図２９の特典保管ページ画面９００と同じである。プレイ情報が管理サーバ３００へ送信されて画像ＩＤやメールアドレスと対応づけられて一時画像記憶部３１３に格納された時点で、そのメールアドレスと一致するメールアドレスが会員情報記憶部３１１の会員情報として登録されていることが照合されれば、そのメールアドレスに対応する特典ＩＤも会員情報記憶部３１１に登録されている。よって、ユーザがログインした後の図３０の例でも「Ａ王子」のタブを選択した状態で「Ａ王子」の特典画像のうちすでに獲得済みの特典ＩＤが会員情報記憶部３１１の情報から抽出されればその特典画像が特典表示枠９０１に表示される。ユーザが特典表示枠９０１をタッチすると、拡大表示画面８９４に切り替わる。拡大表示画面８９４においては、特典保管ページ画面９００でユーザがタッチした特典表示枠９０１の画像が拡大特典画像８９３として拡大して表示され。その下にはボイスボタン８９５が表示され、ユーザがボイスボタン８９５をタッチすると、選択キャラのナレーション音声が出力される。この状態でユーザが拡大特典画像８９３をタッチして長押しすると、自分の端末装置５００内に拡大特典画像８９３を保存できる。ユーザが後退ボタン８９７をタッチすると、拡大特典画像８９３として拡大表示される画像が、特典保管ページ画面９００における一つ前の特典画像に切り替わる。ユーザが進行ボタン８９８をタッチすると、拡大特典画像８９３として拡大表示される画像が、特典保管ページ画面９００における一つ後の特典画像に切り替わる。ユーザが「プリンスルーム」と書かれたページ移動ボタン８９６をタッチすると、特典保管ページ画面９００に戻る。
【０１４６】
以上、本発明の実施の形態に係る写真撮影システム６００について説明した。本発明は上記実施の形態に限定されるものではなく、その趣旨を逸脱しない限りにおいて、種々の変更が可能である。
【０１４７】
上記の実施形態においては、好感度ゲームを編集処理における各種機能に対する操作指令の形でミッションをユーザに与えるゲームとしていた。変形例においては、編集機能ではなく撮影処理における指令や課題を与えるゲームとして実現してもよい。例えば、補正や編集がしやすくなうような、より好ましい撮影画像が得られるように、好適な撮影条件をミッションにしてもよい。具体的には、ユーザが理想的な立ち位置よりも前に立ってしまったり後ろに立ってしまったりすると、ユーザの顔にうまく照明が当たらず画質低下の原因となる。そこで、画像に写る顔の大きさ等からユーザの立ち位置を推測し、その立ち位置が所定範囲にあると判定したときにクリア条件を達成したと判定してもよい。
【０１４８】
上記の実施形態においては、プレイの最後、すなわち印刷用画像が確定して印刷を待つ間にメールアドレスをユーザに入力させる仕様を説明した。変形例においては、事前設定の段階でユーザにメールアドレスを入力させたり、端末装置５００との通信を介してユーザの識別情報を入力させたりする仕様としてもよい。その場合、事前設定の段階でユーザの会員登録の有無や撮影履歴、特に当該機種のプレイ履歴や特典の取得履歴を管理サーバ３００に問合わせて特定することもできる。この場合、そうしたプレイ履歴や特典の取得履歴に基づいて、特典の取得難易度を調整したり、取得済みの特典を除外して、まだそのユーザが保有していない特典を優先的に付与したりする仕様としてもよい。
【０１４９】
上記の実施形態においては、好感度ゲームにおけるすべての達成条件を満たすか否かで特典が付与されるかされないかのどちらかである構成を説明した。変形例においては、特典付与の条件を満たしたか否かだけでなく、複数段階の成績を付与することを前提に、その成績に応じて付与する特典の等級も異なる仕様としてもよい。例えば、好感度ゲームの成績に応じて、特典画像の種類や特典音声の内容、通知メールの文面などの等級が異なるといった仕様である。好感度ゲームの成績は、ゲーム結果情報としてプレイ情報に含められて遊戯用撮影装置１００から管理サーバ３００に送信されるため、管理サーバ３００においてもユーザに表示または再生させる特典の種類を判定でき、通知メールの内容を制御できる。
【０１５０】
上記の実施形態においては、特典ＩＤを利用することにより、特定のユーザ（会員）が特典画像や特典音声にアクセスできるか否かを制御する例を説明した。変形例においては、特典ＩＤを用いずに同じ機能を実現してもよい。例えば、撮影画像群に特典画像や特典音声を含めて遊戯用撮影装置１００から管理サーバ３００に送信し、特典画像や特典音声も撮影画像群の一部として扱い携帯端末５００に提供することで実現できる。
【符号の説明】
【０１５１】
１００  遊戯用撮影装置、  １３２  撮像部、  １３３  画像取得部、  １３５  表示制御部、  １４３  編集処理部、  １４４  評価処理部、  ２００  ネットワーク、  ３００  管理サーバ。
【図１】
2018026082.tif 000003
【図２】
2018026082.tif 000004
【図３】
2018026082.tif 000005
【図４】
2018026082.tif 000006
【図５】
2018026082.tif 000007
【図６】
2018026082.tif 000008
【図７】
2018026082.tif 000009
【図８】
2018026082.tif 000010
【図９】
2018026082.tif 000011
【図１０】
2018026082.tif 000012
【図１１】
2018026082.tif 000013
【図１２】
2018026082.tif 000014
【図１３】
2018026082.tif 000015
【図１４】
2018026082.tif 000016
【図１５】
2018026082.tif 000017
【図１６】
2018026082.tif 000018
【図１７】
2018026082.tif 000019
【図１８】
2018026082.tif 000020
【図１９】
2018026082.tif 000021
【図２０】
2018026082.tif 000022
【図２１】
2018026082.tif 000023
【図２２】
2018026082.tif 000024
【図２３】
2018026082.tif 000025
【図２４】
2018026082.tif 000026
【図２５】
2018026082.tif 000027
【図２６】
2018026082.tif 000028
【図２７】
2018026082.tif 000029
【図２８】
2018026082.tif 000030
【図２９】
2018026082.tif 000031
【図３０】
2018026082.tif 000032
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
ユーザに画像生成遊戯を提供する画像生成装置と、前記画像生成装置とネットワークを介して通信可能に接続されて前記画像生成遊戯に付随する情報提示サービスをユーザに提供するサービス提供装置と、を備えたサービス提供システムであって、
前記画像生成装置は、
ユーザに特典を付与するために前記画像生成遊戯と並列的に実行されるゲームにおいて、１回の前記画像生成遊戯により好適な画像を得るための特定の動作をユーザに要求する場合のその要求に対するゲーム内でのユーザの動作内容が、前記特定の動作の実行が少なくとも定められた所定の達成条件を充足した場合にその充足した達成条件に対応する特典を付与するために特典情報を得る手段と、
撮影画像に基づく加工画像を生成する手段と、
識別情報によって特定し得る前記特典情報および前記加工画像を前記サービス提供装置に送信する手段と、
を有し、
前記サービス提供装置は、
前記画像生成装置から送信された前記特典情報および前記加工画像を識別情報に対応付けて記憶する手段と、
ユーザの情報端末における所定の情報提示機能から送信された識別情報を受信した場合に、前記受信した識別情報に対応する前記特典情報、および、前記特典情報に対応する所定の情報提示サービスのうち少なくともいずれかを前記情報端末における前記情報提示機能に提供する手段と、
を有することを特徴とするサービス提供システム。
【請求項２】
前記達成条件は、前記画像生成遊戯における画像撮影において好適な画像を得るための動作として特定の動作の実行が定められた達成条件を含み、
前記特典情報を得る手段は、前記画像生成遊戯におけるユーザの動作が前記達成条件を充足した場合にその充足した達成条件に対応する特典を付与するために特典情報を得ることを特徴とする請求項１に記載のサービス提供システム。
【請求項３】
前記画像生成装置は、前記画像生成遊戯の進行を画面上で案内するキャラクタとして、複数種類のキャラクタからいずれかをユーザの操作に基づいて設定する手段をさらに備え、
前記特典情報を得る手段は、前記設定する手段によって設定されたキャラクタの種類に応じて前記特典情報を得ることを特徴とする請求項１または２に記載のサービス提供システム。
【請求項４】
前記画像生成装置は、ユーザへのメッセージの送信先となる宛先情報を取得する手段をさらに備え、
前記送信する手段は、前記宛先情報を前記サービス提供装置に送信し、
前記提供する手段は、前記情報提示サービスとして、前記設定する手段によって設定されたキャラクタに対応する前記メッセージを少なくとも含む情報を前記宛先情報に基づいて送信することを特徴とする請求項３に記載のサービス提供システム。
【請求項５】
前記特典情報を得る手段は、一つの画像生成装置において複数人のユーザで前記画像生成遊戯を実行中の場合、ユーザごとに条件が達成されたか否かを判定してユーザごとに個別の特典情報を得ることを特徴とする請求項１から３のいずれかに記載のサービス提供システム。
【請求項６】
前記提供する手段は、ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供するとともに、前記識別情報に対応する前記加工画像を前記情報端末における前記情報提示機能に提供することを特徴とする請求項１から５のいずれかに記載のサービス提供システム。
【請求項７】
前記達成条件は、複数段階の条件を含み、
前記提供する手段は、前記複数段階の条件の達成度合いに応じた前記特典情報を付与することを特徴とする請求項１から６のいずれかに記載のサービス提供システム。
【請求項８】
ユーザに画像生成遊戯を提供する画像生成装置、および、前記画像生成装置とネットワークを介して通信可能に接続されて前記画像生成遊戯に付随する情報提示サービスをユーザに提供するサービス提供装置、において実行されるサービス提供方法であって、
前記画像生成装置において、撮影画像に基づく加工画像を生成する工程と、
ユーザに特典を付与するために前記画像生成遊戯と並列的に実行されるゲームにおいて、１回の前記画像生成遊戯により好適な画像を得るための特定の動作をユーザに要求する場合のその要求に対するゲーム内でのユーザの動作内容が、前記特定の動作の実行が少なくとも定められた所定の達成条件を充足した場合にその充足した達成条件に対応する特典を付与するために特典情報を得る工程と、
識別情報によって特定し得る前記特典情報および前記加工画像を前記サービス提供装置へネットワーク経由で送信する工程と、
前記サービス提供装置において、前記画像生成装置から送信された前記特典情報および前記加工画像をネットワーク経由で受信する工程と、
前記特典情報および前記加工画像を識別情報に対応付けて記憶する工程と、
ユーザの情報端末における所定の情報提示機能から送信された識別情報をネットワーク経由で受信する工程と、
前記受信した識別情報に対応する前記特典情報を読み出す工程と、
前記受信した識別情報に対応する前記特典情報、および、前記特典情報に対応する所定の情報提示サービスのうち少なくともいずれかを前記情報端末における前記情報提示機能へネットワーク経由で送信する工程と、
を備えることを特徴とするサービス提供方法。
【請求項９】
画像生成遊戯に付随する情報提示サービスをユーザに提供するサービス提供装置とネットワークを介して通信可能に接続され、ユーザに前記画像生成遊戯を提供する画像生成装置であって、
ユーザに特典を付与するために前記画像生成遊戯と並列的に実行されるゲームにおいて、１回の前記画像生成遊戯により好適な画像を得るための特定の動作をユーザに要求する場合のその要求に対するゲーム内でのユーザの動作内容が、前記特定の動作の実行が少なくとも定められた所定の達成条件を充足した場合にその充足した達成条件に対応する特典を付与するために特典情報を得る手段と、
撮影画像に基づく加工画像を生成する手段と、
ユーザの情報端末から識別情報を受信した場合にその識別情報に対応する前記特典情報、および、前記特典情報に対応する所定の情報提示サービスのうち少なくともいずれかを前記情報端末に提供する前記サービス提供装置に対し、識別情報によって特定し得る前記特典情報および前記加工画像を送信する手段と、
を備えることを特徴とする画像生成装置。
【請求項１０】
ユーザに画像生成遊戯を提供する画像生成装置とネットワークを介して通信可能に接続されて前記画像生成遊戯に付随する情報提示サービスをユーザに提供するサービス提供装置であって、
撮影画像に基づく加工画像を生成し、ユーザに特典を付与するために前記画像生成遊戯と並列的に実行されるゲームにおいて、１回の前記画像生成遊戯により好適な画像を得るための特定の動作をユーザに要求する場合のその要求に対するゲーム内でのユーザの動作内容が、前記特定の動作の実行が少なくとも定められた所定の達成条件を充足した場合にその充足した達成条件に対応する特典を付与するために特典情報を得て、識別情報によって特定し得る前記特典情報および前記加工画像を当該サービス提供装置に送信する、前記画像生成装置から前記特典情報および前記加工画像を受信する手段と、
前記受信した前記特典情報および前記加工画像を識別情報に対応付けて記憶する手段と、
ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供する手段と、
を備えることを特徴とするサービス提供装置。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
ユーザに画像生成遊戯を提供する画像生成装置と、前記画像生成装置とネットワークを介して通信可能に接続されて前記画像生成遊戯に付随する情報提示サービスをユーザに提供するサービス提供装置と、を備えたサービス提供システムであって、
前記画像生成装置は、
１回の前記画像生成遊戯内で実行される、ユーザに特典付与のための条件達成を要求するゲームにおいて、前記特典付与の条件として、好適な画像を得るための特定の動作をユーザが前記１回の画像生成遊戯内に実行することが定められた所定の達成条件を充足した場合にその充足した達成条件に対応する特典を付与するために、所定の達成条件に対応づけられた複数種類の特典から選択されてユーザが獲得したいずれかの特典の特典情報を得る手段と、
撮影画像に基づく加工画像を生成する手段と、
識別情報によって特定し得る前記特典情報および前記加工画像を前記サービス提供装置に送信する手段と、
を有し、
前記サービス提供装置は、
前記画像生成装置から送信された前記特典情報および前記加工画像を識別情報に対応付けて記憶する手段と、
ユーザの情報端末における所定の情報提示機能から送信された識別情報を受信した場合に、前記受信した識別情報に対応する前記特典情報、および、前記特典情報に対応する所定の情報提示サービスのうち少なくともいずれかを前記情報端末における前記情報提示機能に提供する手段と、
を有することを特徴とするサービス提供システム。
【請求項２】
前記達成条件は、前記画像生成遊戯における画像撮影において好適な画像を得るための動作として特定の動作の実行が定められた達成条件を含み、
前記特典情報を得る手段は、前記画像生成遊戯におけるユーザの動作が前記達成条件を充足した場合にその充足した達成条件に対応する特典を付与するために、所定の達成条件に対応づけられた複数種類の特典から選択されてユーザが獲得したいずれかの特典の特典情報を得ることを特徴とする請求項１に記載のサービス提供システム。
【請求項３】
前記画像生成装置は、前記画像生成遊戯の進行を画面上で案内するキャラクタとして、複数種類のキャラクタからいずれかをユーザの操作に基づいて設定する手段をさらに備え、
前記特典情報を得る手段は、前記設定する手段によって設定されたキャラクタの種類に応じて前記特典情報を得ることを特徴とする請求項１または２に記載のサービス提供システム。
【請求項４】
前記画像生成装置は、ユーザへのメッセージの送信先となる宛先情報を取得する手段をさらに備え、
前記送信する手段は、前記宛先情報を前記サービス提供装置に送信し、
前記提供する手段は、前記情報提示サービスとして、前記設定する手段によって設定されたキャラクタに対応する前記メッセージを少なくとも含む情報を前記宛先情報に基づいて送信することを特徴とする請求項３に記載のサービス提供システム。
【請求項５】
前記特典情報を得る手段は、一つの画像生成装置において複数人のユーザで前記画像生成遊戯を実行中の場合、ユーザごとに条件が達成されたか否かを判定してユーザごとに個別の特典情報を得ることを特徴とする請求項１から３のいずれかに記載のサービス提供システム。
【請求項６】
前記提供する手段は、ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供するとともに、前記識別情報に対応する前記加工画像を前記情報端末における前記情報提示機能に提供することを特徴とする請求項１から５のいずれかに記載のサービス提供システム。
【請求項７】
前記達成条件は、複数段階の条件を含み、
前記提供する手段は、前記複数段階の条件の達成度合いに応じた前記特典情報を付与することを特徴とする請求項１から６のいずれかに記載のサービス提供システム。
【請求項８】
ユーザに画像生成遊戯を提供する画像生成装置、および、前記画像生成装置とネットワークを介して通信可能に接続されて前記画像生成遊戯に付随する情報提示サービスをユーザに提供するサービス提供装置、において実行されるサービス提供方法であって、
前記画像生成装置において、撮影画像に基づく加工画像を生成する工程と、
１回の前記画像生成遊戯内で実行される、ユーザに特典付与のための条件達成を要求するゲームにおいて、前記特典付与の条件として、好適な画像を得るための特定の動作をユーザが前記１回の画像生成遊戯内に実行することが定められた所定の達成条件を充足した場合にその充足した達成条件に対応する特典を付与するために、所定の達成条件に対応づけられた複数種類の特典から選択されてユーザが獲得したいずれかの特典の特典情報を得る工程と、
識別情報によって特定し得る前記特典情報および前記加工画像を前記サービス提供装置へネットワーク経由で送信する工程と、
前記サービス提供装置において、前記画像生成装置から送信された前記特典情報および前記加工画像をネットワーク経由で受信する工程と、
前記特典情報および前記加工画像を識別情報に対応付けて記憶する工程と、
ユーザの情報端末における所定の情報提示機能から送信された識別情報をネットワーク経由で受信する工程と、
前記受信した識別情報に対応する前記特典情報を読み出す工程と、
前記受信した識別情報に対応する前記特典情報、および、前記特典情報に対応する所定の情報提示サービスのうち少なくともいずれかを前記情報端末における前記情報提示機能へネットワーク経由で送信する工程と、
を備えることを特徴とするサービス提供方法。
【請求項９】
画像生成遊戯に付随する情報提示サービスをユーザに提供するサービス提供装置とネットワークを介して通信可能に接続され、ユーザに前記画像生成遊戯を提供する画像生成装置であって、
１回の前記画像生成遊戯内で実行される、ユーザに特典付与のための条件達成を要求するゲームにおいて、前記特典付与の条件として、好適な画像を得るための特定の動作をユーザが前記１回の画像生成遊戯内に実行することが定められた所定の達成条件を充足した場合にその充足した達成条件に対応する特典を付与するために、所定の達成条件に対応づけられた複数種類の特典から選択されてユーザが獲得したいずれかの特典の特典情報を得る手段と、
撮影画像に基づく加工画像を生成する手段と、
ユーザの情報端末から識別情報を受信した場合にその識別情報に対応する前記特典情報、および、前記特典情報に対応する所定の情報提示サービスのうち少なくともいずれかを前記情報端末に提供する前記サービス提供装置に対し、識別情報によって特定し得る前記特典情報および前記加工画像を送信する手段と、
を備えることを特徴とする画像生成装置。
【請求項１０】
ユーザに画像生成遊戯を提供する画像生成装置とネットワークを介して通信可能に接続されて前記画像生成遊戯に付随する情報提示サービスをユーザに提供するサービス提供装置であって、
撮影画像に基づく加工画像を生成し、１回の前記画像生成遊戯内で実行される、ユーザに特典付与のための条件達成を要求するゲームにおいて、前記特典付与の条件として、好適な画像を得るための特定の動作をユーザが前記１回の画像生成遊戯内に実行することが定められた所定の達成条件を充足した場合にその充足した達成条件に対応する特典を付与するために、所定の達成条件に対応づけられた複数種類の特典から選択されてユーザが獲得したいずれかの特典の特典情報を得て、識別情報によって特定し得る前記特典情報および前記加工画像を当該サービス提供装置に送信する、前記画像生成装置から前記特典情報および前記加工画像を受信する手段と、
前記受信した前記特典情報および前記加工画像を識別情報に対応付けて記憶する手段と、
ユーザの情報端末における所定の情報提示機能から送信された識別情報を受信した場合に、その識別情報に対応する前記特典情報、および、前記特典情報に対応する所定の情報提示サービスのうち少なくともいずれかを前記情報端末における前記情報提示機能に提供する手段と、
を備えることを特徴とするサービス提供装置。